(57)【要約】  照明装置（１０５）は、光源部（１）および導光部（３７０）を備える。光源部（１）は、第１の光を発する光源（１ａ）を含む。導光部（３７０）は、光の進行方向を変更して反射光とする反射面（３７４）を含み、光源部（１）から出射された光を導光して反射面（３７４）に到達させる。反射面（３７４）は複数備えられている。光源部（１）は、出射する光を複数の反射面（３７４）の中から選択して照射する。これによれば、光源（１ａ）を配置する箇所の増加を抑えて、導光部（３７０）上の発光領域（５）を変えることができる。
2017033820.tif 000002
【特許請求の範囲】
【請求項１】
第１の光を発する第１の光源を含む第１の光源部と、
光の進行方向を変更して第１の反射光とする第１の反射面を含み、前記第１の光源部から出射された前記第１の光を導光して前記第１の反射面に到達させる導光部と
を備え、
前記第１の反射面は複数備えられ、
前記第１の光源部は、出射する前記第１の光を複数の前記第１の反射面の中から選択して照射する照明装置。
【請求項２】
前記導光部は、前記第１の照射光を導光する導光部材を複数備える請求項１に記載の照明装置。
【請求項３】
前記第１の反射面は、前記導光部材の端部に形成されている
請求項２に記載の照明装置。
【請求項４】
前記導光部材は、前記第１の照射光を入射する第１の入射面を含み、
前記第１の入射面から入射された前記第１の照射光は、前記導光部材の中を進行して、前記第１の反射面に到達する請求項２または３に記載の照明装置。
【請求項５】
前記第１の反射面で反射された第１の反射光は、他の前記導光部材を透過して、前記導光部から出射される請求項２から４のいずれか１項に記載の照明装置。
【請求項６】
前記導光部に入射された前記第１の照射光は、複数の前記導光部材を透過して、前記第１の反射面に到達する請求項２または３に記載の照明装置。
【請求項７】
前記第１の反射面で反射された第１の反射光は、前記導光部材の中を進行して、前記導光部から出射される請求項２、３または６に記載の照明装置。
【請求項８】
前記導光部は、導光部材を１つ備え、
複数の前記第１の反射面は、１つの前記導光部材に備えられている請求項１に記載の照明装置。
【請求項９】
前記複数の第１の反射面は、前記第１の照射光が前記導光部材の内部を進行する方向に並べて配置される請求項８に記載の照明装置。
【請求項１０】
前記導光部材は、前記第１の照射光を入射する第１の入射面および前記第１の反射面で反射された第１の反射光を出射する出射面を含む請求項９に記載の照明装置。
【請求項１１】
前記複数の第１の反射面は、前記導光部材の前記出射面に対向する面に備えられている請求項１０に記載の照明装置。
【請求項１２】
前記複数の第１の反射面は、前記導光部材の内部に備えられている請求項１０に記載の照明装置。
【請求項１３】
前記第１の光源部は、複数の第１の光源を備え、
前記複数の第１の光源は、複数の前記第１の反射面に各々対応するように配置され、前記第１の光源から発せられた第１の光は、対応する前記第１の反射面で反射される請求項１から１２のいずれか１項に記載の照明装置。
【請求項１４】
前記第１の光源部は、前記第１の光を入射して出射する位置または出射する方向を変更して出射する第１の光調整ユニットを備える請求項１から１２のいずれか１項に記載の照明装置。
【発明の詳細な説明】
【技術分野】
【０００１】
本発明は、導光部材を用いた照明装置に関する。
【背景技術】
【０００２】
照明装置として、光源と、導光部材とを備えるものがある。導光部材は、光源から出射された光を入射して、入射された光を導光し、前方に照射する。【０００３】
例えば、特許文献１には、両端に光入射部を有する板状の導光部材を用いて、均一な光を車両前方に向けて出射する車両用灯具が示されている。光源は、光入射部に対向して配置されている。そして、車両用灯具の導光部材は、車両内側から車両外側にかけて前後方向に傾斜するように灯具のハウジング内に配置されている。このように、導光部材を用いることで、比較的自由な形状の発光部を形成することができる。
【先行技術文献】
【特許文献】
【０００４】
【特許文献１】特開２０１１−２５８３５０公報（図１）
【発明の概要】
【発明が解決しようとする課題】
【０００５】
しかしながら、照明装置において、発光領域を動的に変化させることで意匠性または機能性を向上させることができる。その一方で、発光領域を動的に点灯させるためには、例えば、光源を複数備え、それらの光源を異なる位置に配置することで、各発光領域に応じた発光をすることができる。この場合には、複数の光源が必要となる。そして、複数の光源を照明装置の異なる場所に配置する。そのため、照明装置の構造が複雑になる。【０００６】
本発明は、導光部材を用いる照明装置において、光源を配置する箇所の増加を抑えて、導光部上の発光領域を変えることができるものである。
【課題を解決するための手段】
【０００７】
本発明に係る照明装置は、第１の光を発する第１の光源を含む第１の光源部と、光の進行方向を変更して第１の反射光とする第１の反射面を含み、前記第１の光源部から出射された前記第１の光を導光して前記第１の反射面に到達させる導光部とを備え、前記第１の反射面は複数備えられ、前記第１の光源部は、出射する前記第１の光を複数の前記第１の反射面の中から選択して照射する。
【発明の効果】
【０００８】
これによれば、光源を配置する箇所の増加を抑えて、導光部上の発光領域を変えることができる。
【図面の簡単な説明】
【０００９】
【図１】実施の形態１に係る照明装置１０５を説明するための構成図である。
【図２】実施の形態１の変形例１に係る照明装置１０６の構成図である。
【図３】実施の形態１の変形例２に係る照明装置１０７の構成図である。
【図４】実施の形態２に係る照明装置１００の構成図である。
【図５】実施の形態２の変形例３に係る照明装置１０１の構成図である。
【図６】実施の形態２の変形例４に係る照明装置１０２の構成図である。
【図７】実施の形態２の変形例５に係る照明装置１０３の構成図である。
【図８】実施の形態２の変形例６に係る照明装置１０４の構成図である。
【図９】実施の形態２の変形例６に係る照明装置１０８の構成図である。
【図１０】実施の形態２の変形例６に係る照明装置１０９の構成図である。
【図１１】照明装置１００を搭載した車両の模式図である。
【発明を実施するための形態】
【００１０】
二酸化炭素（ＣＯ２）の排出と燃料の消費とを抑えるといった環境への負荷を軽減する観点から、車両の省エネルギー化が望まれている。これに伴い、照明装置においても小型化、軽量化及び省電力化が求められている。そこで、照明装置の光源として、従来のハロゲンバルブ（ランプ光源）に比べて発光効率の高い半導体光源の採用が望まれている。「半導体光源」とは、例えば、発光ダイオード（ＬＥＤ（Ｌｉｇｈｔ  Ｅｍｉｔｔｉｎｇ  Ｄｉｏｄｅ））又はレーザーダイオード（ＬＤ）などである。
【００１１】
また、光源としては、有機エレクトロルミネッセンス（有機ＥＬ）または平面上に塗布された蛍光体に励起光を照射して発光させる光源などは、固体光源とも呼ばれる。半導体光源は、固体光源の一種である。
【００１２】
以下の実施の形態では、光源を固体光源として説明しているが、光源として、固体光源を採用することもできる。
【００１３】
照明装置として、光源と、この光源から出射された光を入射して、入射された光を導光し、前方に照射する導光部とを備えるものがある。上記の照明装置では、導光部を用いることで、導光部から光が発せられる。そして、導光部に用いられる導光部材の形状で、発光体の形状が形成される。導光部材は、比較的自由な形状に形成することができる。このため、意匠性の高い照明装置が実現できる。また、導光部材に入射された光は、導光部の内部を内面反射しながら導光部材の内部を進む。導光部材の形状を光学的に制御することで、導光部上の任意の領域から光を取り出すことも考えられる。
【００１４】
さらに、導光部に複数の光源を備え、導光体を発光させる照明装置とすることも考えられる。これによれば、各光源の発光タイミングを制御して、点灯と非点灯とを連続的に切り替えることで、動的に発光領域を変えることができる。そして、意匠性に加え機能性の高い照明装置が得られる。
【００１５】
特許文献１の車両用灯具は、導光部材を用いた照明装置として、導光部材の両端から光を入射して、導光部材を発光させる照明装置である。特許文献１は、導光部材の両端から光を入射させて、導光部材の内面を反射させ、導光部材に設けられたプリズム面を介して、前方に光を出射させる構成を示している。
【００１６】
また、特開２０１３−１６３８６公報は、複数の発光ダイオードを導光板の端面に備え、導光板を一体に発光させる車両用灯具の構成を示している。
【００１７】
照明装置において、発光領域を動的に変化させることで意匠性や機能性を向上させることができる。その一方で、発光領域を動的に点灯させるためには、発光領域を分割的に点灯させる構成が必要となる。例えば、光源を複数備え、各領域に応じた発光が可能な構成を用いることで、これを実現することができる。しかし、光源が複数必要になるため部品数量が増え、構造も複雑になる。
【００１８】
また、発光領域の近くに光源を配置する場合には、光源を点灯させる電子部品および基板などの配置も含めて照明装置の構造は複雑になる。
【００１９】
以下に示す実施の形態では、導光部を用いた照明装置において、発光領域を動的に変化させ、これを小型に実現している。つまり、簡易な構成で、発光領域を動的に変化させる照明装置を実現している。
【００２０】
以下に示す実施の形態では、一つの光源部から導光部に入射した光を、複数の光学制御面に選択的に照射することで、導光部上の発光領域を変えることができる。また、入射する光の方向を高速に変化させることで、導光部全体を発光させることも可能である。
【００２１】
以下の実施の形態において、説明を容易にするため、各図中にＸＹＺ直交座標軸を示す。
【００２２】
以下の説明において、照明装置の前方を＋Ｚ軸方向とし、後方を−Ｚ軸方向とする。照明装置の前方は、照明光が出射される方向である。照明装置の上側を＋Ｙ軸方向とし、下側を−Ｙ軸方向とする。照明装置の前方を向いた状態で、照明装置の右側を＋Ｘ軸方向とし、照明装置１０５の左側を−Ｘ軸方向とする。
【００２３】
以下に示す実施の形態では、光源部から出射される光は、主に、＋Ｘ軸方向に出射される。そして、導光部材の内部を進行する光は、主に、＋Ｘ軸方向に進む。
【００２４】
照明装置を後方から見て、Ｚ軸を中心軸として、時計回りを＋ＲＺ方向とし、反時計回りを−ＲＺ方向とする。また、照明装置を左側（−Ｘ軸方向）から右側（＋Ｘ軸方向）を見て、Ｘ軸を中心軸として、時計回りを＋ＲＸ方向とし、反時計回りを−ＲＸ方向とする。また、照明装置を下側（−Ｙ軸方向）から上側（＋Ｙ軸方向）を見て、Ｙ軸を中心軸として、時計回りを＋ＲＹ方向とし、反時計回りを−ＲＹ方向とする。
【００２５】
実施の形態１．
図１は、実施の形態１に係る照明装置１０５の概要図である。
【００２６】
照明装置１０５は、反射面を構成する方法として、例えば、一つまたは複数の反射面を有する導光部品（導光部材３７４）を複数重ねて配置し、反射面（反射面３７４ｒ）を複数構成することもできる。
【００２７】
これによれば、例えば、反射面（反射面３７４ｒ）を拡散面とした場合に、光が入射した導光部品（導光部材３７４）の反射面を強く光らせることができる。また、光の均一性を増して、反射面を光らせることができる。以下、実施の形態１として、これに関する例を説明する。
【００２８】
＜照明装置１０５の概要＞
照明装置１０５は、光源部１および導光部３７０を備える。また、照明装置１０５は、光源１ａを備える。照明装置１０５は、駆動装置２（光調整ユニット）を備えることができる。光源部１は、光源１ａを備えている。光源部１は、駆動装置２を備えることができる。
【００２９】
駆動装置２は、例えば、光源部１から出射される光をＺ軸方向に並進移動させることができる。つまり、光は、光源部１から＋Ｘ軸方向に出射される。その光の光源部１から出射される位置をＺ軸方向に移動させる。その際に、光の進行方向は、Ｘ軸に対して平行である。
【００３０】
導光部３７０は、＋Ｘ軸側の端部に反射面３７３を備える。また、導光部３７０は、−Ｘ軸側の端部に入射面３７１を備える。
【００３１】
導光部３７０は、複数の導光部品３７４を備えている。導光部品３７４は、Ｚ軸方向に重なるように配置される。光源１及び駆動装置２から出射される光を光線４７０として代表的にみると、光線４７０は、駆動装置２によって選択的に各入射面３７４ｉに入射され、各々の導光部品３７４に備えられた各反射面３７４ｒに到達する。
【００３２】
反射面３７４ｒに到達した光線４７０は、他の導光部品３７４を通過して、照明装置１０５の前方（＋Ｚ軸方向）に出射される。
【００３３】
ここで、光線４７０が透過する他の導光部品３７４は、光線４７０が反射される反射面３７４ｒを含む導光部品３７４よりも＋Ｚ軸方向側に配置されている。
【００３４】
これによれば、光が入射した導光部品３７４の反射面３７４ｒを、光らせることができる。光が入射した導光部品３７４の反射面３７４ｒを、他の反射面３７４ｒよりも強く光らせることができる。
【００３５】
なお、複数の導光部品３７４を配置する構成はＺ軸方向に並べる以外の構成としてもよい。例えば、Ｙ軸方向に重ねる構成または各導光部品３７４を−ＲＺ方向に回転させ、扇形状に展開させたような位置で重ねて配置してもよい。言いかえれば、各導光部品３７４の配置に限定されることなく、実施の形態１で説明する効果が得られる。
【００３６】
本実施の形態１は、少ない光源１ａで導光部３７０の部分発光および全体発光が可能である。実施の形態１は、照明装置１０５全体を小型でき、部品点数を削減し、組立性能を向上させる。
【００３７】
実施の形態１では、駆動装置２によって、変化させる導光部３７０に入射する光の方向は、Ｙ軸まわりの回転方向に限らない。導光部３７０に入射する光の方向は、例えば、±Ｚ軸または±Ｙ軸方向に並進変化する向きでもよい。または、導光部３７０に入射する光の方向は、Ｚ軸またＸ軸まわりに回転変化するような向きでもよい。また、導光部３７０に入射する光の方向は、これらを組み合わせた向きでもよい。
【００３８】
実施の形態１では、駆動装置２を用いて、導光部３７０に入射する光の向きを変えている。しかし、光の向きを変える構成はこれに限らない。例えば、光源部１を回転、並進、又はその両方の動作によって、直接的に駆動して、導光部３７０に入射する光の向きを変えてもよい。
【００３９】
なお、導光部３７０に入射させる光の向きは、＋Ｘ軸方向からの向きに限らない。例えば、−Ｙ軸方向から光を入射してもよい。言いかえると、導光部３７０に備えられている入射面３７１は、導光部３７０上の任意の位置に設けることができる。
【００４０】
なお、実施の形態１では、２次元的な構成としているが、３次元的な構成とすることも可能である。
【００４１】
駆動装置は、以下の各実施の形態において、光調整ユニットとして説明する。また、導光部品は、導光部材として説明する。
【００４２】
以下において、照明装置１０５の詳細な説明を行う。
【００４３】
＜光源部１＞
光源部１は、導光部３７０に光を入射させる。
【００４４】
光源部１は、例えば、光源１ａとして、発光ダイオード（ＬＥＤ）、エレクトロルミネッセンス素子又はレーザーダイオード等を用いることができる。また、光源１ａとして、励起光を受光して蛍光を発する蛍光体を用いることができる。また、導光部３７０の光路上に蛍光体を配置する場合には、光源１ａは、蛍光体を励起させる励起光源とすることができる。
【００４５】
図１では、光源部１は、導光部３７０の−Ｘ軸側に位置している。光源部１は、例えば、導光部３７０の−Ｘ軸側の端部に位置する。入射面３７１は、導光部３７０の−Ｘ軸側に形成されている。図１では、導光部３７０の−Ｘ軸側の端部は、入射面３７１である。光源部１は、入射面３７１と対向して配置されている。
【００４６】
光源部１は、導光部３７０の端部に向けて光を出射する。
【００４７】
光源部１がＬＥＤ等の発散角の大きな光源を用いている場合には、コリメータレンズ又は集光レンズなどの集光光学系を用いて、ビーム径を調整することができる。また、光源部１がレーザーダイオードのような指向性の高い光源を用いている場合には、集光光学系を用いずに構成することもできる。ビーム径が調整された光は、光調整ユニット２に入射される。
【００４８】
「発散角」とは、光の広がる角度である。
【００４９】
＜光調整ユニット２＞
また、光源部１は、光調整ユニット２を備えることができる。光調整ユニット２は、例えば、光源１ａから発せられた光が光源部１から出射される位置を、変更することができる。光調整ユニット２は、導光部３７０に入射させる光の入射面３７１上の位置を変更することができる。光調整ユニット２は、選択的に、光を導光部３７０に入射させることができる。
【００５０】
光調整ユニット２は、例えば、光源部１から発せられた光の進行方向を変更する装置である。光調整ユニット２は、光学部品を駆動して、光源部１から出射された光の進行方向を変更する。
【００５１】
光学部品は、例えば、レンズ、導光部材またはミラーなどである。ミラーとしては、例えば、ＭＥＭＳミラー、ガルバノミラーまたはポリゴンミラーなどが挙げられる。
【００５２】
光線の進行方向を変更するために、例えば、レンズを光軸に垂直な方向に移動させることができる。また、レンズを光軸に垂直な軸を中心に回転させることができる。
【００５３】
光線の進行方向を変更するために、例えば、光ファイバーのような導光部材の光の出射面を傾けることができる。また、光を反射するミラーの角度を変更することができる。また、ポリゴンミラーを回転させることで、反射される光の進行方向を変更することができる。
【００５４】
光の進行方向を変更する光調整ユニット２として、図４に、一例として、ミラーを用いた構成を簡易的に示している。ここで、図４を用いて、ミラー２ｂを用いた光調整ユニット２について説明する。
【００５５】
ミラー２ｂの−Ｚ軸方向側に光源１ａが配置されている。光源１ａから＋Ｚ軸方向に光線４が出射されている。光源１ａから出射された光線４は、ミラー２ｂに到達する。ミラー２ｂに到達した光線４は、ミラー２ｂで反射されて＋Ｘ軸方向に進行する。
【００５６】
ミラー２ｂをＹ軸まわりに回転させることで、光線４をＺ軸方向に走査することができる。
【００５７】
進行方向を変えられた光は、入射面３７１上の異なる位置から導光部３７０の内部に入射する。
【００５８】
また、図１に示すように、光調整ユニット２として、液晶シャッター２ａを用いることができる。ここで、図１を用いて、液晶シャッター２ａを用いた光調整ユニット２について説明する。
【００５９】
光調整ユニット２は、例えば、内面が反射面の容器を備えている。そして、その容器の一部に液晶シャッター２ａを備えている。
【００６０】
例えば、光源１ａから出射された光線４７０は、内面が反射面の容器内に入射される。液晶シャッターの一部を光が透過できるようにすると、容器内で反射を繰り返した光は、容器の外に出射される。液晶シャッター２ａ上の透過部分を、入射面３７１上の位置に対応して変更する。これによって、容器の外に出射された光は、入射面３７１上の異なる位置から導光部３７０の内部に入射する。
【００６１】
また、容器の内面の反射面上に蛍光体を配置することもできる。光源１ａに蛍光体を励起する励起光源を用いることで、光調整ユニット２から蛍光を出射することができる。
【００６２】
また、光調整ユニット２を用いずに、光源部１から出射された光を、導光部３７０に直接的に入射させることもできる。
【００６３】
例えば、光源部１全体をＹ軸まわりに回転させることができる。これによって、進行方向を変えられた光は、入射面３７１上の異なる位置から導光部３７０の内部に入射する。
【００６４】
また、例えば、光源部１をＺ軸方向に移動させることができる。これによって、出射位置を変えられた光は、入射面３７１上の異なる位置から導光部３７０の内部に入射する。
【００６５】
これらによって、光源部１に備えられる光源１ａの数を削減することができる。
【００６６】
＜導光部３７０＞
導光部３７０は、複数の導光部材３７４を備えている。導光部材３７４は、光を導光する部材である。
【００６７】
導光部材３７４は、例えば、棒形状または板形状をしている。また、導光部材３７４は、例えば、ガラスまたは樹脂で形成される。
【００６８】
導光部材３７４は、例えば、光を＋Ｘ軸方向に導光するように配置されている。
【００６９】
導光部材３７４が棒形状の場合には、導光部３７０は、例えば、導光部材３７４が束ねられて形成されている。または、導光部３７０は、例えば、導光部材３７４が重ねられて形成されている。
【００７０】
導光部材３７４が板形状の場合には、導光部３７０は、例えば、導光部材３７４が重ねられて形成されている。
【００７１】
図１では、導光部３７０は、導光部材３７４がＺ軸方向に重ねられて形成されている。
【００７２】
導光部材３７４は、入射面３７４ｉを備える。導光部材３７４は、−Ｘ軸側に入射面３７４ｉを備えている。入射面３７４ｉは、光源部１から発せられた光を入射する。
【００７３】
例えば、導光部材３７４ａは、入射面３７４ｉａを備えている。そして、導光部材３７４ｂは、入射面３７４ｉｂを備えている。図１では、各導光部材３７４の入射面３７４ｉをまとめて、導光部３７０の入射面３７１となる。図１では、各導光部材３７４の入射面３７４ｉは、Ｙ−Ｚ平面に平行に配置されている。そして、各導光部材３７４の入射面３７４ｉは、同一の平面上に配置されている。
【００７４】
導光部材３７４は、反射面３７４ｒを備える。また、導光部材３７４は、＋Ｘ軸側に反射面３７４ｒを備えている。反射面３７４ｒは、導光部材３７４内を進行した光を反射する。
【００７５】
例えば、導光部材３７４ａは、反射面３７４ｒａを備えている。そして、導光部材３７４ｂは、反射面３７４ｒｂを備えている。各導光部材３７４の反射面３７４ｒをまとめて、導光部３７０の反射面３７３となる。
【００７６】
導光部材３７４は、各々長さが異なっている。図１では、−Ｚ軸側の導光部材３７４から＋Ｚ軸側の導光部材３７４に向けて、長さが長くなっている。
【００７７】
例えば、導光部材３７４ｂの長さは、導光部材３７４ａの長さよりも長い。また、導光部材３７４ｃの長さは、導光部材３７４ｂの長さよりも長い。また、導光部材３７４ｄの長さは、導光部材３７４ｃの長さよりも長い。
【００７８】
反射面３７４ｒは、例えば、Ｘ−Ｙ平面に対して、＋ＲＹ方向に回転した面である。例えば、入射面３７４ｉから入射された光線４７０がＸ軸に平行として、反射面３７４ｒで反射された光線４７０がＺ軸に平行とすると、反射面３７４ｒの回転角度は４５度である。
【００７９】
導光部材３７４ｃが導光部材３７４ｂに隣接する導光部材とする。そして、導光部材３７４ｃが導光部材３７４ｂのよりも長い導光部材とする。この場合には、反射面３７４ｒｂの長さの長い方の端部は、反射面３７４ｒｃの長さの短い方の端部の位置に配置されている。
【００８０】
また、導光部材３７４ａが導光部材３７４ｂに隣接する導光部材とする。そして、導光部材３７４ａが導光部材３７４ｂのよりも短い導光部材とする。この場合には、反射面３７４ｒｂの長さの短い方の端部は、反射面３７４ｒａの長さの長い方の端部の位置に配置されている。
【００８１】
各導光部材３７４の反射面３７４ｒは、例えば、一つの平面（反射面３７３）を形成している。
【００８２】
導光部材３７４の反射面３７４ｒは、２つの部材を張り合わせた部分に形成されている。そのため、反射面３７４ｒの＋Ｘ軸側にも導光部材３７４が形成されている。このため、反射面３７４ｒが一部の光を反射して、他の光を透過するように設定された場合には、例えば、照明装置１０５の＋Ｚ軸方向側と＋Ｘ軸方向側の２方向に光を動的に出射することができる。例えば、反射面３７４ｒを拡散面とすることで、反射面３７４ｒに到達した光を反射と透過とによって分けることができる。
【００８３】
図１において、光線４７０は、導光部４７０の入射面３７１から入射した光の一例である。光線４７０は、導光部材３７４の入射面３７４ｉから、導光部材３７４の内部に入射する。
【００８４】
入射面３７４ｉから入射した光線４７０は、導光部材３７４の内部を進行する。光線４７０は、導光部材３７４の内部を、全反射を繰り返しながら進行する。光線４７０は、導光部材３７４の内部を、＋Ｘ軸方向に進む。
【００８５】
導光部材３７４の内部を進行した光線４７０は、反射面３７４ｒに到達する。反射面３７４ｒに到達した光線４７０は、反射面３７４ｒで反射される。
【００８６】
反射面３７４ｒで反射された光線４７０は、例えば、＋Ｚ軸方向に進行方向を変更される。反射面３７４ｒで反射された光線４７０は、導光部材３７４の側面から出射される。そして、光線４７０の進行方向（＋Ｚ軸方向）に配置されている他の導光部材３７４を透過する。そして、その後、光線４７０は、導光部３７０から出射される。光線４７０は、導光部３７０の出射面３７２から出射される。
【００８７】
各導光部材３７４を通過した光線４７０は、照明装置１０５の前方（＋Ｚ軸方向）に出射される。導光部３７０の出射面３７２から出射された光線４７０は、照明装置１０５の前方（＋Ｚ軸方向）に出射される。
【００８８】
光調整ユニット２は、光線４７０が導光される導光部材３７４を選択する。
【００８９】
例えば、光調整ユニット２が経路ａ１の出射位置を選択した場合には、光線４７０は導光部材３７４ａに入射する。導光部材３７４ａに入射した光線４７０は、導光部材３７４ａ内を＋Ｘ軸方向に進行する。導光部材３７４ａ内を進行した光線４７０は、反射面３７４ｒａに到達する。反射面３７４ｒａに到達した光線４７０は、反射面３７４ｒａで反射される。反射面３７４ｒａで反射された光線４７０は、＋Ｚ軸方向に進行する（経路ｂ１）。＋Ｚ軸方向に進行する光線４７０は、導光部材３７４ｂから導光部材３７４ｈまでを透過する。そして、光線４７０は、導光部３７０の出射面３７２から出射される。導光部３７０から出射された光線４７０は、照明装置１０５から前方（＋Ｚ軸方向）に出射される。
【００９０】
次に、例えば、光調整ユニット２が経路ａ２の出射位置を選択した場合には、光線４７０は導光部材３７４ｂに入射する。導光部材３７４ｂに入射した光線４７０は、導光部材３７４ｂ内を＋Ｘ軸方向に進行する。導光部材３７４ｂ内を進行した光線４７０は、反射面３７４ｒｂに到達する。反射面３７４ｒｂに到達した光線４７０は、反射面３７４ｒｂで反射される。反射面３７４ｒｂで反射された光線４７０は、＋Ｚ軸方向に進行する（経路ｂ２）。＋Ｚ軸方向に進行する光線４７０は、導光部材３７４ｃから導光部材３７４ｈまでを透過する。そして、光線４７０は、導光部３７０の出射面３７２から出射される。導光部３７０から出射された光線４７０は、照明装置１０５から前方（＋Ｚ軸方向）に出射される。
【００９１】
図１では、導光部３７０の出射面３７２は、導光部材３７４ｈの側面である。出射面３７２は、導光部材３７４ｈの＋Ｚ軸側の側面である。
【００９２】
経路ｂ２は、経路ａ２よりも＋Ｘ軸方向側に位置している。出射領域５ａは、光線４７０が経路ａ１，ｂ１を進んだ場合の導光部３７０から出射される領域である。出射領域５ｂは、光線４７０が経路ａ２，ｂ２を進んだ場合の導光部３７０から出射される領域である。出射領域５ｂは、出射領域５ａと異なる領域である。出射領域５ｂは、出射領域５ａの＋Ｘ軸方向側に位置している。
【００９３】
光調整ユニット２が光源部１から出射される光線４７０の位置を変更することで、光線４７０が入射する導光部材３７４を選択することができる。つまり、光調整ユニット２は、光線４７０が到達する反射面３７４ｒを選択することができる。そして、光調整ユニット２は、光線４７０が導光部３７０から出射される出射領域５を選択することができる。
【００９４】
つまり、光調整ユニット２は、光源部１から導光部３７０に入射する光の位置を変えることができる。そして、光調整ユニット２は、光の出射位置の変更に応じて、導光部３７０上の光の出射領域５を変えることができる。光調整ユニット２は、光の出射位置の変更に応じて、出射面３７２上の光の出射領域５を変えることができる。
【００９５】
つまり、光調整ユニット２は、導光部３７０に向けて出射される光の位置を時間的に変更することで、導光部３７０から出射される光の位置（出射領域５）を、時間的に変更することができる。つまり、光調整ユニット２は、導光部３７０上の任意の領域から、光を動的に出射させることができる。ここで、任意の領域は、反射面３７４ｒに対応した領域である。
【００９６】
さらに、光源部１は、光源１ａの発光タイミングを制御することができる。また、光源部１は、光調整ユニット２から出射される光の出射タイミングを制御することができる。例えば、液晶シャッター２ａを制御することで、光源部１から出射される光線４７０の位置と光線４７０の出射されるタイミングとを制御することができる。
【００９７】
これらによって、照明装置１０５は、光を動的に出射させることができる。
【００９８】
また、例えば、光調整ユニット２の液晶シャッター２ａによって、光調整ユニット２は、特定の導光部材３７４に光を入射させることができる。これによって、照明装置１０５は、特定のパターンで導光部３７０の出射面３７２を光らせることができる。例えば、照明装置１０５は、出射面３７２上に文字または図形などを表示することができる。また、照明装置１０５は、全ての導光部材３７４に光を入射させることで、導光部３７０の出射面３７２を全体的に光らせることができる。
【００９９】
また、例えば、光調整ユニット２で光を操作する場合でも、光の走査速度を上げることで、照明装置１０５は、特定のパターンで導光部３７０の出射面３７２を光らせることができる。また、光の走査速度を上げることで、照明装置１０５は、導光部３７０の出射面３７２を全体的に光らせることができる。
【０１００】
反射面３７４ｒを平面として説明した。しかし、反射面３７４ｒは平面である必要はない。例えば、反射面３７４ｒは曲面であってもよい。反射面３７４ｒの曲面は、例えば、自由曲面を含む。また、例えば、反射面３７４ｒは微細なプリズムが形成された面であっても良い。反射面３７４ｒの面形状を変更することで、出射面３７２上の出射領域５の範囲を変更することができる。
【０１０１】
なお、反射面３７３の構成は上述の構成に限るものではなく、ミラー、ハーフミラー、ダイクロイックミラー又は偏光ミラーなどを用いることができる。
【０１０２】
また、反射面３７４ｒを形成し易くするために、各導光部材３７４の＋Ｘ軸側の端部は、斜めにカットされても良い。
【０１０３】
また、図１では、反射面３７４ｒは、＋Ｘ軸方向に進行する光を、＋Ｚ軸方向に向けて反射している。しかし、光を反射する方向は、導光方向に対して、直角の方向である必要はない。反射面３７４ｒで反射された光が、導光方向に対して直角の方向から傾斜して進行するように、反射面３７４ｒの角度を変更することができる。
【０１０４】
なお、入射面３７４ｉにプリズムなどの光を拡散する形状を設けて、入射光の発散角を大きくすることができる。また、入射面３７４ｉにレンズ形状を設けて、入射光の発散角を変更することができる。また、レンズ、プリズムまたは拡散素子などを入射面３７１ｉの位置に、別途配置することもできる。
【０１０５】
導光部材３７４に入射する際の光の発散角を制御することによって、導光部材３７４の内部を光が伝播する際の反射回数を増すことができる。これによって、光強度分布の均一性を増すことができる。
【０１０６】
また、光調整ユニット２から出射される際の光の発散角が大きい場合には、レンズなどで発散角を小さくして、導光部材３７４への入射効率を上げることができる。
【０１０７】
なお、複数の導光部材３７０を配置する構成は、導光部材３７０をＺ軸方向に並べる以外の構成であってもよい。例えば、複数の導光部材３７０をＹ軸方向に重ねる構成でもよい。また、各導光部材３７４を、例えば、入射面３７４ｉを中心にして、−ＲＺ方向に回転させて、扇形状に配置してもよい。この場合には、入射面３７４ｉに傾斜を設けて、入射面３７１が平面になるようにすることができる。
【０１０８】
つまり、光源部１から光が出射される領域に、入射面３７４ｉが配置されていれば、各導光部材３７４の配置に、特に限定はない。複数の導光部材３７４の配置に関しては、他の変形例および実施の形態についても同様である。
【０１０９】
また、導光部材３７４の形状も、光を導光できて、反射面３７４ｒで光を反射できれば、特に限定はない。導光部材３７４の形状に関しては、他の変形例および実施の形態についても同様である。
【０１１０】
また、光源１として、例えば、レーザーダイオード（ＬＤ）を用いる場合には、照明装置１０５は、蛍光体を備えることができる。蛍光体は、レーザー光を受けて蛍光を発する。
【０１１１】
蛍光体は、光が通過する領域に配置することができる。蛍光体は、例えば、反射面３７３上に配置することができる。また、蛍光体は、例えば、導光部３７０の出射面３７２の位置に配置することができる。また、蛍光体は、例えば、照明装置１０５の出射面に配置することができる。入射面３７１の位置に、蛍光体を配置することもできる。この場合には、導光部材３７４の内部で全反射条件を満たさなくなる光が多くならないように考慮することが望ましい。
【０１１２】
また、出射面３７２から出射された光を、集光または発散する光学素子などを、出射面３７２の＋Ｚ軸方向側に配置することができる。
【０１１３】
導光部３７０上の光線４７０が出射される＋Ｚ軸側の面（出射面３７２）は、自由曲面で構成されてもよい。また、出射面３７２は、レンズ効果を有するレンズ形状でもよい。例えば、出射面３７２は、プリズム面形状でもよい。
【０１１４】
なお、図１に示す導光部３７０の場合には、出射面３７２は、導光部材３７４ｈの側面である。このため、出射面３７２を光線４７０の導光を妨げる形状とすることは好ましくない。導光部３７０の場合には、導光部材３７４ｈの＋Ｚ軸方向側に、別途光学素子を配置することが望ましい。
【０１１５】
導光部上の光線が出射される面（出射面３７２）に関する構成については、他の実施の形態または変形例についても同様である。
【０１１６】
また、反射面３７３はミラー、ハーフミラー、ダイクロイックミラー又は偏光ミラーなどを用いて構成することができる。しかし、反射面３７３の構造はこれに限らない。例えば、反射面３７３は、拡散面でもよい。反射面の構造に関する当該構成については、他の実施の形態または変形例についても同様である。
【０１１７】
＜変形例１＞
図２は、実施の形態１に係る変形例１の照明装置１０６の概要図である。
【０１１８】
照明装置１０６の光源部１は、光調整ユニット２を備えていない。光源部１は、光源１ａを複数備えている。光源１ａは、各導光部材３８４の入射面３８４ｉに対応して配置されている。図２では、光源１ａａは、入射面３８４ｉａに対応して配置されている。光源１ａａから出射された光線４７０は、入射面３８４ｉａから導光部材３８４ａに入射される。また、光源１ａｂは、入射面３８４ｉｂに対応して配置されている。光源１ａｂから出射された光線４７０は、入射面３８４ｉｂから導光部材３８４ｂに入射される。
【０１１９】
点灯される光源１ａを選択することで、光源部１は、導光部３８４へ入射する光線４７０を、光学制御面（反射面３８３）に選択的に照射することができる。
【０１２０】
導光部３８０は、複数の導光部材３８４を備えている。各導光部材３８４の入射面３８４ｉをまとめて、導光部３８０の入射面３８１とする。各導光部材３８４の反射面３８４ｒをまとめて、導光部３８０の反射面３８３とする
【０１２１】
導光部材３８４の反射面３８４ｒは、−Ｙ軸方向からみて斜め方向にカットされた部分に形成されている。この点で、導光部材３８４は導光部材３７４と異なる。
【０１２２】
反射面３８４ｒは、例えば、全反射面とすることができる。全反射を利用した反射面の光利用効率は、ミラー面を利用した反射面の光利用効率よりも高いる。「ミラー面」とは、例えば、反射面にアルミニウムなどを蒸着した面である。
【０１２３】
＋Ｘ軸方向に進行する光が反射面３８３で全反射するように、反射面３８４ｒの角度を決定する。
【０１２４】
例えば、ＬＤのように、光調整ユニット２から出射する光の指向性が高い場合には、反射面３８４ｒでの反射効率は向上する。しかし、光強度分布の均一性を増すために、例えば、光調整ユニット２の出射面から入射面３８４ｉまでの間に発散角を大きくする光学素子２ｃ（拡散素子）を配置することができる。また、例えば、入射面３８４ｉに光拡散機能を持たせることができる。
【０１２５】
一方、光調整ユニット２から出射する光の指向性が低い場合には、入射面３８４ｉから入射する光の平行度を高くすることで、反射効率を高めることができる。そのため、例えば、光調整ユニット２の出射面から入射面３８４ｉまでの間に発散角を小さくする光学素子２ｃ（コリメータレンズ）を配置することができる。また、例えば、入射面３８４ｉにレンズ機能を持たせることができる。
【０１２６】
光学素子２ｃは、光の集光機能または発散機能を有する素子である。
【０１２７】
また、反射面３８４ｒは、例えば、ミラー面とすることができる。この場合には、反射面３８４ｒを拡散面とすることができる。反射面３８４ｒは、例えば、シボ加工などが施されている。
【０１２８】
これによって、＋Ｚ軸方向に光が進行するとともに、導光部材３８４内で不十分であった光の均一性を向上させることができる。
【０１２９】
例えば、ＬＤのように、光調整ユニット２から出射する光の指向性が高い場合には、導光部材３８４内での光強度分布の均一化は不十分となる。このような場合には、反射面３８４ｒで反射して、導光部３８０から出射する光は、局所的に明るい箇所を有する。つまり、導光部３８０から出射する光は、点状の光となる。
【０１３０】
例えば、反射面３８４ｒにシボ加工等を施すことで、反射する光は散乱する。このため、反射する光は広がりを持って＋Ｚ軸方向に進行する。これによって、局所的に明るい箇所が軽減される。
【０１３１】
また、導光部材３８４の入射面３８４ｉに拡散面を設けてもよい。また、導光部材３８４の入射面３８４ｉの位置に拡散素子（光学素子２ｃ）を配置してもよい。
【０１３２】
これによって、指向性の高い光が角度を有して導光部材３８４内を進行する。つまり、指向性の高い光の発散角度が大きくなる。そして、導光部材３８４内での反射回数が増加する。このため、反射面３８３上での光強度分布の均一性は向上する。
【０１３３】
なお、反射面３８４ｒをミラー面とせずに、単に、拡散面とすることができる。この場合には、反射面３８４ｒを透過する光が増加するが、反射光の均一性を増すことができる。
【０１３４】
なお、反射面３８４ｒは、反射膜を形成してもよい、その際には、反射膜をあらすことにより、拡散反射面とする必要がある。反射膜とすることによって、全反射条件を満たさない光が＋Ｘ軸方向に進行することを抑制することが可能となる。
【０１３５】
＜変形例２＞
図３は、変形例２に係る照明装置１０７の概要図である。
【０１３６】
導光部３９０は、複数の導光部材３９４を備えている。各導光部材３９４の反射面３９４ｒをまとめて、導光部３９０の反射面３９３とする各導光部材３９４の出射面３９４ｏをまとめて、導光部３９０の入射面３９２とする。
【０１３７】
上述の導光部材３７４，３８４は、光をＸ軸方向に導光するように配置されている。一方、導光部材３９４は、光をＺ軸方向に導光するように配置されている。変形例２は、この点で変形例１と異なる。
【０１３８】
導光部３９０の入射面３９１は、導光部材３９４ａの側面とすることができる。しかし、図３に示すように、導光部材３９４ａの−Ｘ軸方向側に、反射面３９４ｒを備えない導光部材３９４ｚを配置することができる。この場合には、導光部材３９４ｚの−Ｘ軸側の端面が、導光部３９０の入射面３９１になる。
【０１３９】
導光部材３９４ｚを配置することで、入射面３９１に光学的な機能を持たせた場合でも、導光部材３９４ａの導光特性を低下させることはない。「光学的な機能」とは、例えば、光を拡散する機能または集光する機能などである。
【０１４０】
導光部材３９４は、反射面３９４ｒを備える。反射面３９４ｒは、導光部材３９４の−Ｚ軸方向側の端部に位置している。図３では、反射面３９４ｒは、導光部材３９４の−Ｚ軸方向側の端面である。
【０１４１】
変形例１と同様に、反射面３９４ｒを全反射面とすることができる。また、反射面３９４ｒをミラー面とすることができる。また、反射面３９４ｒを拡散反射面とすることができる。
【０１４２】
例えば、Ｘ軸方向と平行に入射する光が反射面３９３で全反射するように反射面３９３の傾きを決定することができる。例えば、１つの反射面３９４ｒに光を当てる場合には、光調整ユニット２から出射される光の平行度を上げることが好ましい。つまり、光調整ユニット２から出射される光の平行度を上げることによって、１つの反射面３９４ｒに光を照射することが容易となる。
【０１４３】
上述のように、光調整ユニット２として、内面が反射面の容器に液晶シャッター２ａを備える構成の場合には、光の出射位置にコリメータレンズ（光学素子２ｃ）を設けることができる。一方、指向性の高い光をミラーなどで走査する場合には、コリメータレンズは必ずしも必要ではない。
【０１４４】
反射面３９４ｒを拡散反射面とする場合には、光の散乱度合いを、導光部材３９４内を進行する光が全反射条件を満たす程度とすることが好まし。光の散乱度合いを大きくすると、反射された光が導光部材３９４内を進行する際に、全反射条件を満たさなくなり、光の導光性能が低下する。このため、反射面３９４ｒでの光の散乱度合いを抑えることが望ましい。
【０１４５】
拡散面としては、例えば、反射面３９４ｒにシボ加工などを施すことが挙げられる。また、反射面３９４ｒに拡散反射用のシートなどを取り付けることが挙げられる。また、反射面３９４ｒに拡散反射用の塗装を施すことが挙げられる。
【０１４６】
これらによって、反射面３９３に到達した光は、拡散反射される。反射面３９３で拡散反射された光は、＋Ｚ軸方向に進行する。拡散反射された光は、導光部材３９４の内部で反射を繰り返して進行する。光が導光部材３９４の内部を進行する際に、光強度分布の均一性は向上される。
【０１４７】
導光部材３９４の中を伝播する光は、導光部材３９４の側面で反射される。これによって、光は折り返されることで重畳される。そして、光の均一性は向上される。つまり、導光部材３９４は、光を入射して、光強度分布の均一性を高めた光として出射する。
【０１４８】
導光部材３９４の内部を進行した光は、出射面３９４ｏに到達する。出射面３９４ｏに到達した光は、＋Ｚ軸方向に出射される。導光部材３９４の中を伝播した光は、光強度分布が均一化されて出射面３９４oから出射される。これによって、導光部３９０に入射する際に光強度分布の均一性が不十分であった光は、均一性が向上される。そして、光強度分布の均一性が向上した光は、導光部３９０から＋Ｚ軸方向に出射される。
【０１４９】
導光部材３９４は、出射面３９４ｏを備える。出射面３９４ｏは、導光部材３９４の＋Ｚ軸方向側の端部に設けられている。図３では、出射面３９４ｏは、導光部材３９４の＋Ｚ軸方向側の端面である。
【０１５０】
各導光部材３９４の出射面３９４ｏは、例えば、Ｘ−Ｙ平面に平行である。図３では、各導光部材３９４の出射面３９４ｏは、同一の平面上に位置している。図３では、各導光部材３９４の出射面３９４ｏをまとめて、導光部３９０の出射面３９２となる。
【０１５１】
導光部材３９４の材料としては、ガラスまたは樹脂などが挙げられる。導光部材の材料に関しては、他の実施の形態または変形例においても同様である。
【０１５２】
変形例１の場合には、反射面３８４ｒで光を拡散反射すると、出射面３８２での光の出射する領域が広がってしまう。そして、隣り合う光の重なりが発生する。この光の重なりを抑えるためには、例えば、Ｘ軸方向に、反射面３８４ｒの間隔を設けることが挙げられる。しかし、装置の小型化の点では好ましくない。
【０１５３】
変形例２の場合には、導光部材３９４の長軸を、光が出射する方向（Ｚ軸方向）と一致するように配置している。導光部材３９４から出射される光は、導光部材３９４で導光されるため、出射面３９２上で光が重なることを抑制できる。そして、導光部材３９４の光均一化機能によって、均一性を増した光を出射することが可能となる。
【０１５４】
また、出射面３９２の形状も任意に設定できる。つまり、出射面３９２を拡散面とすることができる。また、出射面３９４ｏの形状をレンズ形状とすることができる。また、一部の出射面３９４ｏをレンズ面として、他の出射面３９４ｏを拡散面とすることができる。
【０１５５】
変形例１の場合には、出射面３８２は、導光部材３８４の側面に形成されている。図２では、出射面３８２は、導光部材３８４ｈの＋Ｚ軸側の側面である。この場合には、導光部材３８４ｈの＋Ｚ軸側の側面の形状を変更することによって、導光部材３８４ｈの導光特性が低下する可能性がある。
【０１５６】
変形例２の場合には、出射面３９２は、導光部材３９４の出射面３９４ｏの集まりとなる。このため、出射面３９２の形状の自由度は向上する。
【０１５７】
例えば、出射面３９４ｏをレンズ形状とすることで、出射される光の発散角を変更することができる。また、例えば、出射面３９４ｏを凹凸形状（拡散面）とすることで、出射される光の均一性を向上することができる。
【０１５８】
以上で説明した反射面３４７ｒ，３４８ｒ，３４９ｒの位置に蛍光体素子を配置することができる。反射面３４７ｒ，３４８ｒ，３４９ｒの位置に蛍光体素子を配置することによって、導光部３７０，３８０，３９０から出射される光の色を変更することができる。また、蛍光体は、拡散光を放射するため、光強度分布の均一性が向上する。このため、出射面３７２，３８２，３９２の各領域から均一を増した異なった色の光を出射することが可能となる。
【０１５９】
なお、反射面３４７ｒ，３４８ｒ，３４９ｒの位置に蛍光体素子を配置した場合には、照明装置１０５，１０６の場合には、光が出射される領域は大きくなる。また、照明装置１０７の場合には、導光部材３９４の導光特性が低下する可能性がある。
【０１６０】
また、蛍光体素子は、出射面３７２，３８２，３９２の位置に配置することができる。図３では、光学素子６として、蛍光体素子を示している。この場合には、照明装置１０５，１０６での光が出射される領域の拡大は低減される。また、照明装置１０７での導光特性の低下は抑えられる。
【０１６１】
光学素子６としては、レンズアレイ、拡散素子または蛍光体素子などが挙げられる。
【０１６２】
本実施の形態１の導光部３７０，３８０，３９０は、複数の導光部材３７４，３８４，３９４を備えている。導光部材の形状には自由度を持たせることができる。実施の形態１では、導光部材３７４，３８４，３９４は直方体の棒形状または板形状であった。しかし、例えば、車両の形状に合わせて、導光部材３７４，３８４，３９４の形状を変更することができる。つまり、導光部材３７４，３８４，３９４の形状を曲がった棒形状または湾曲した板形状とすることができる。
【０１６３】
また、光は導光部材３７４，３８４，３９４毎に導光される。このため、導光部材３７４，３８４，３９４の形状を変えることで、導光部３７０，３８０，３９０から出射される光の方向と、導光部３７０，３８０，３９０に入射する光の方向とを異なる方向とすることができる。これによって、照明装置１０５，１０６，１０７の形状に自由度をもたせることができる。例えば、車両などの設置場所の形状に合わせて、照明装置１０５，１０６，１０７を小型化することができる。つまり、設置される場所の条件に合わせて、光源部１の配置を変更することができる。
【０１６４】
実施の形態２．
実施の形態１では、導光部３７０，３８０，３９０は、複数の導光部材３７４，３８４，３９４を備えている。実施の形態２では、導光部材を一本としている点で実施の形態１と異なる。
【０１６５】
図４に示す照明装置１００では、導光部３００は導光部材３０４を備える。導光部３００は、１つの導光部材３０４を備えている。そして、導光部材３０４は、複数の反射面３０３を備えている。実施の形態１では、１つの導光部材３７４，３８４，３９４は、１つの反射面３７４ｒ，３８４ｒ，３９４ｒを備える例で説明している。この点においても、実施の形態２は、実施の形態１と相違する。
【０１６６】
実施の形態２で説明する導光部材は、全て導光部材３０４として説明している。
【０１６７】
実施の形態２によれば、１つの光源部１から１つの導光部材３０４に光を入射させている。入射される光は、複数の反射面３０３（光学制御面）に選択的に照射される。これによって、導光部３００上の発光領域５を変えることができる。
【０１６８】
また、反射面３０３を選択する速度を上げることで、導光部３００の全体を発光させることも可能である。また、導光部材３０４が一本であるため、簡易な構成で照明装置１００を実現することができる。
【０１６９】
図４は、実施の形態２に係る照明装置１００の概要図である。
【０１７０】
照明装置１００は、光源部１及び導光部３００を備えている。光源部１は、光調整ユニット２を備えている。光源部１及び光調整ユニット２は実施の形態１と同じである。そのため、詳細な説明は省略する。
【０１７１】
＜導光部３００＞
導光部３００は、例えば、棒形状または板形状をしている。導光部３００は、入射面３０１を備えている。また、導光部３００は、出射面３０２を備えている。導光部３００は、導光部材３０４を備えている。導光部材３０４は、内部に反射面３０３を備えている。導光部材３０４の内部には、複数の反射面３０３が備えられている。
【０１７２】
入射面３０１は、光源部１から出射された光を入射する。入射面３０１は、例えば、導光部３００の端部に備えられている。入射面３０１は、図４では、導光部材３０４の端面に備えられている。入射面３０１は、図４では、導光部材３０４の−Ｘ軸側の端面である。
【０１７３】
入射面３０１に入射した光を光線４として代表的に見ると、光線４は、導光部３００の内部を＋Ｘ軸方向に進む。図４では、光線４は、導光部材３０４の内部を＋Ｘ軸方向に進む。光調整ユニット２によって、光源部１から出射された光の進行方向は破線のように変わる。これに応じて、導光部３００内部での光線４の進行方向も変化する。
【０１７４】
つまり、光調整ユニット２によって、光源部１から出射される光線４は、走査されている。図４では、光線４は、Ｚ軸方向に走査されている。光調整ユニット２によって、光源部１から出射される光線４の出射角度は変更される。
【０１７５】
導光部３００は、例えば、その内部に複数の境界面３０５を有している。境界面３０５は、光線４の進行方向に対して傾いて形成されている。図４では、境界面３０５は、入射面３０１に対して、時計回りに回転した方向に傾斜している。
【０１７６】
各境界面３０５は、その面上の一部の領域に光を反射させる反射面３０３を備え、他方の領域では光を透過させる構造となっている。つまり、各境界面３０５は、その面上の一部の領域に光を反射させる反射面３０３を備えている。つまり、各境界面３０５の一部の領域は、光を反射させる反射面３０３を備えている。そして、各境界面３０５の他の領域は、光を透過させる構造となっている。
【０１７７】
各境界面３０５は、境界面３０５に入射した光線４が、照明装置１００の前方（＋Ｚ軸方向）に進むように、光線４を反射させる構造を有する。つまり、光線４は、反射面３０３で反射されて、＋Ｚ軸方向に進行する。＋Ｚ軸方向は、出射面３０２の方向である。
【０１７８】
反射面３０３は、導光部３００に入射した光の方向を変える光学制御面である。導光部３００は、導光部３００に入射した光の進行方向を変える複数の光学制御面を備える。導光部材３０４は、導光部材３０４に入射した光の進行方向を変える複数の光学制御面を備える。
【０１７９】
境界面３０５は、導光部３００を切り分けるように全領域に伸びるような構造とは限らない。例えば、導光部品３００の内部の一部の部分に設けられてもよい。また、境界面３０５は、反射面３０３だけを備える構造でもよい。
【０１８０】
つまり、境界面３０５は、導光部材３０４を分割する面に限られない。例えば、境界面３０５は、導光部３００の内部の一部分に設けられてもよい。つまり、境界面３０５は、導光部材３０４の内部を進行する光が通過する領域の一部に設けられる。
【０１８１】
また、境界面３０５は、反射面３０３だけを備える構造でもよい。つまり、導光部材３０４の内部の一部分に設けられた境界面３０５の全体に反射面３０３を備えることができる。
【０１８２】
また、反射面３０３は、導光部３００のＹ軸方向の上面の端と下面の端とまで伸びる必要はなく、導光部３００の一部分だけに設けられても良い。つまり、出射面３０２に平行で光線４に垂直な方向（Ｙ軸方向）の両端部まで、反射面３０３が配置される必要はない。Ｙ軸方向は、図４の奥行き方向である。
【０１８３】
なお、実施の形態では、導光部材３０４は、境界面３０５で分割された複数の導光部材３０４を接合して作製されている。しかし、例えば、反射面を有する部材を位置決めした状態で、インサート成型をする方法で、導光部材３０４を作製することができる。この場合には、境界面３０５は形成されない。
【０１８４】
各反射面３０３は、例えば、導光部３００の内部で＋Ｘ軸側に位置が変わるに従って、Ｚ軸方向に当該反射面３０３の位置が移動するように配置される。これによれば、光調整ユニット２により変更される光の進行方向が移動する向きを＋Ｚ軸方向への並進動作にすることができる。
【０１８５】
反射面３０３は、導光部材３０４内を光線４が進行する方向（＋Ｘ軸方向）に複数配置されている。複数の反射面３０３は、光線４が導光部材３０４の内部を進行する方向に並べて配置されている。
【０１８６】
そして、入射面３０１に最も近い位置に配置されている反射面３０３ａは、光線４の出射される方向（＋Ｚ軸方向）において、出射面３０２から最も遠い位置に配置されている。反射面３０３ａの＋Ｘ軸方向に配置されている反射面３０３ｂは、反射面３０３ａよりも＋Ｚ軸方向に配置されている。
【０１８７】
つまり、反射面３０３が入射面３０１から遠くに配置されるに従って、反射面３０３が出射面３０２に近づくように、反射面３０３は配置されている。入射面３０１に近い反射面３０３よりも入射面３０１から遠い反射面３０３の方が、出射面３０２に近い位置に配置されている。
【０１８８】
これによって、光線４は、他の反射面３０３に遮られることなく選択された反射面３０３に到達することができる。そして、選択された反射面３０３で反射された光線４は、他の反射面３０３に遮られることなく出射面３０２に到達することができる。
【０１８９】
そして、反射面３０３の傾斜角度を調整することによって、各反射面３０３で反射された光線４を互いに平行とすることができる。つまり、出射面３０２から出射される各光線４を平行な光線とすることができる。
【０１９０】
導光部材３０４内を導光される光線４は、光調整ユニット２によってその導光方向が選択的に変化される。そのため、例えば、光調整ユニット２によって光源部１から導光部３００に入射した光線４が経路ａ１を進むときは、光線４は反射面３０３ａで反射されて、経路ｂ１を進み、照明装置１００の前方（＋Ｚ軸方向）に向けて出射される。
【０１９１】
続いて、例えば、光線４は＋Ｚ軸方向に走査される。光調整ユニット２によって光源部１から導光部３００に入射した光線４が経路ａ２を進むときは、光線４は反射面３０３ｂで反射されて、経路ｂ２を進み、照明装置１００の前方（＋Ｚ軸方向）に向けて出射される。
【０１９２】
このとき、光線４が経路ａ１，ｂ１を進んだときに得られる導光部３００の出射面３０２上の光の出射領域５ａと、光線４が経路ａ２，ｂ２を進んだときに得られる導光部３００の出射面３０２上の光の出射領域５ｂとは異なる。
【０１９３】
さらに、光調整ユニット２によって光源部１からの導光部３００に入射する光線４の方向を変えると、光線４の導光部３００内を進む向きが変わる。これに応じて、光線４が反射される境界面３０５（反射面３０３）も切り替わる。
【０１９４】
反射面３０３ｃ、反射面３０３ｄ、・・・というように反射する面が変わり、導光部３００上の光の出射領域５も変化する。
【０１９５】
光線４が走査されることで、選択される反射面は、例えば、反射面３０３ｃから反射面３０３ｄへと変更される。この反射面３０３の変更に伴い、出射面３０２から出射される光線４の出射領域５も変更される。
【０１９６】
なお、境界面３０５の構成は、上述の構成に限るものではなく、境界面３０５はミラー、ハーフミラー、ダイクロイックミラー又は偏光ミラーを用いることができる。
【０１９７】
つまり、光調整ユニット２によって光源部１から導光部３００に入射する光（光線４）の方向を選択的に変えることができる。そして、これに応じて、導光部３００の出射面３０２上の光の出射領域５を選択的に変えることができる。
【０１９８】
言いかえると、光調整ユニット２は、導光部３００へ入射する光線４を、光学制御面（反射面３０３）に選択的に照射する。そして、光調整ユニット２は、導光部３００の出射面３０２上の領域（出射領域５）から、光源部１から出射された光を動的に出射することができる。
【０１９９】
さらに、光源部１の発光タイミング又は光源部１から導光部３００に入射する光の方向の切り替え速度・パターンを制御することで、導光部３００の出射面３０２上のある任意の領域（出射領域５）だけを光らせることが可能である。
【０２００】
光調整ユニット２は、光源部１の発光タイミング、光源部１から出射される光線４の走査速度または光線４の走査パターンなどを制御する。これらによって、光調整ユニット２は、導光部３００の出射面３０２上の選択された出射領域５を光らせることができる。
【０２０１】
また、当該任意の領域（出射領域５）を動的に光らせることもでき、さらに、導光部３００を全体的に光らせることも可能である。つまり、光線４の走査速度を上げることで、導光部３００の出射領域５の全てを光らせることも可能である。出射領域５を出射面３０２の全体に配置すると、光線４の走査速度を上げることで、導光部３００の出射面３０２を全体的に光らせることも可能である。
【０２０２】
光線４の導光部３００の進行方法は上述の構成に限るものではなく、光線４が導光部３００の内部を内面反射し、境界面３０５へ達することも可能である。
【０２０３】
つまり、入射面３０１から入射した光線４が、導光部材３００の側面で反射した後に、反射面３０３に到達するようにできる。これによって、入射面３０１からでは他の反射面３０３が遮っている位置に配置された反射面３０３に、光線４を到達させることができる。ここで、光線４を反射させる側面としては、出射面３０２が挙げられる。
【０２０４】
なお、当該任意の領域を動的に光らせるとは、任意の領域を時間的に、そして選択的に変化させて光らせることである。また、入射する光の方向を高速に変化させることで導光部全体を発光させることも可能である。
【０２０５】
また、例えば、光源部１としてレーザーダイオード（ＬＤ）を用いる場合には、照明装置１００の前方（＋Ｚ軸側）の蛍光体を備えることができる。つまり、光源部１から出射される光を励起光とすることで、蛍光体を発光させることができる。励起光としては、ＬＤ以外にもＬＥＤなどを用いることもできる。
【０２０６】
なお、蛍光体は、上述の蛍光体素子と同じ意味で用いている。また、図４では、蛍光体は、光学素子６ａ，６ｂとして示されている。光学素子６ａは、入射面３０１に配置されている。光学素子６ｂは、出射面３０２に配置されている。
【０２０７】
さらに、境界面３０５を構成する入射面３０１または反射面３０３にも蛍光体を備えることも可能である。蛍光体は、例えば、導光部材３０４に埋め込まれる。または、蛍光体は、例えば、導光部３０材３０４の面と接するように配置される。蛍光体を備える箇所に関する当該構成については、以下の変形例３〜５についても同様である。蛍光体を備える箇所に関する当該構成については、他の例についても同様である。
【０２０８】
蛍光体は、導光部３００の入射面３０１、出射面３０２または反射面３０３の位置に配置することができる。また、蛍光体を反射面３０３の位置に配置する場合には、光線４が入射する側に蛍光体を配置して、裏面側に反射面３０３を配置することができる。この構成によって、蛍光体の裏面側から放射される蛍光を出射面３０２側に反射することができる。
【０２０９】
蛍光体から放射される光は、拡散光である。このため、出射面３０２上で光らせる領域を小さくする場合には、蛍光体を出射面３０２の位置に配置することが望ましい。
【０２１０】
また、導光部３００は、光線４が照明装置１００の前方（＋Ｚ軸方向）に進むように、光線４を反射させる反射面３０３が構成できればよい。そのため、導光部３００の形状は、図１に示されるような直方体の形状に限るものでない。例えば、導光部３００が湾曲した形状でもよい。導光部３００の形状に関する当該構成については、以下の変形例３〜５についても同様である。導光部３００の形状に関する当該構成については、他の例についても同様である。
【０２１１】
また、入射面３０１、境界面３０５または反射面３０３は、平面形状である必要はない。入射面３０１、境界面３０５または反射面３０３は、例えば、自由曲面で構成されてもよい。この構成の導光部３００は、より自由度の高い照明光を取り出すことができる。つまり、導光部材３０４を用いることで、発光面（出射面３０２）の形状に対して、自由度を有することができる。
【０２１２】
入射面、境界面または反射面の形状に関する当該構成については、以下の変形例３〜５についても同様である。入射面、境界面または反射面の形状に関する当該構成については、他の例についても同様である。
【０２１３】
また、導光部３００上の光線４が出射される＋Ｚ軸側の面（出射面３０２）は、自由曲面で構成されてもよい。また、出射面３０２は、レンズ効果を有するレンズ形状でもよい。また、出射面３０２は、例えば、プリズム面形状でもよい。
【０２１４】
例えば、反射面３０３に対応した出射面３０２上の出射領域５をレンズ形状として、出射される光を制御することができる。
【０２１５】
導光部３００上の光線４が出射される面（出射面３０２）に関する当該構成については、以下の変形例１〜５についても同様である。導光部３００上の光線４が出射される面（出射面３０２）に関する当該構成については、他の例についても同様である。
【０２１６】
なお、反射面３０３は、離散的に配置される必要はない。反射面３０３は、導光部３００の同じ境界面３０５の上に隣接するように配置されてもよい。また、反射面３０３は、異なる境界面３０５の上で、実際は、離散的に配置され、＋Ｚ軸方向から見た場合に隣り合う反射面同士が隣接するかに見えるように配置されてもよい。
【０２１７】
反射面３０３の＋Ｘ軸方向の端部のＸ軸上の位置は、＋Ｘ軸側に隣り合う他の反射面３０３の−Ｘ軸方向の端部のＸ軸上の位置と一致することができる。つまり、例えば、反射面３０３ａの＋Ｘ軸方向の端部のＸ軸上の位置は、反射面３０３ｂの−Ｘ軸方向の端部のＸ軸上の位置と一致することができる。
【０２１８】
このような場合には、＋Ｚ軸側から見た場合には、反射面３０３は隙間なく配置されているように見える。
【０２１９】
また、反射面３０３の＋Ｘ軸方向の端部のＺ軸上の位置は、＋Ｘ軸側に隣り合う他の反射面３０３の−Ｘ軸方向の端部のＺ軸上の位置と一致することができる。つまり、例えば、反射面３０３ａの＋Ｘ軸方向の端部のＺ軸上の位置は、反射面３０３ｂの−Ｘ軸方向の端部のＺ軸上の位置と一致することができる。
【０２２０】
このような場合には、−Ｘ軸側から見た場合には、反射面３０３は隙間なく配置されているように見える。
【０２２１】
反射面の配置に関する当該構成については、以下の変形例３〜５についても同様である。反射面の配置に関する当該構成については、他の例についても同様である。
【０２２２】
なお、反射面３０３は、ミラー、ハーフミラー、ダイクロイックミラー又は偏光ミラーなどを用いて構成することができる。しかし、反射面３０３の構造はこれに限らない。例えば、反射面３０３は、拡散面でもよい。反射面の構造に関する当該構成については、以下の変形例３〜５についても同様である。反射面の構造に関する当該構成については、他の例についても同様である。
【０２２３】
＜変形例３＞
図５は、変形例３に係る照明装置１０１の概要図である。照明装置１０１は、光源部１及び導光部３２０を備える。光源部１は、光調整ユニット２を備える。光源部１及び光調整ユニット２の構成は照明装置１００と同じである。
【０２２４】
導光部３２０は、導光部材３０４を備えている。導光部３２０は、入射面３０１及び出射面３０２を備えている。図５では、入射面３０１及び出射面３０２は、導光部材３０４の面に形成されている。入射面３０１は、導光部材３０４の−Ｘ軸方向側の面である。出射面３０２は、導光部材３０４の＋Ｚ軸方向側の面である。
【０２２５】
導光部材３０４は、境界面３０５及び反射面３０３を備えている。しかし、その構成は照明装置１００とは異なる。
【０２２６】
反射面３０３は、導光部材３０４の内部で＋Ｘ軸側に位置が変わっても、Ｚ軸方向に当該反射面３０３の位置が揃うように配置されている点で、導光部３００と異なる。
【０２２７】
複数の反射面３０３は、出射面３０２から同じ距離に配置されている。
【０２２８】
導光部３２０の反射面３０３のＺ軸方向の位置は同一である。図５では、反射面３０３は、全て、出射面３０２に対向する面上に配置されている。なお、反射面３０３のＺ軸方向の位置は、出射面３０２に対向する面上に限られない。この点以外の構成では、導光部３２０は導光部３００と同じである。
【０２２９】
導光部３２０の構成では、入射面３０１側から見ると、反射面３０３は、それよりも入射面３０１側に位置する反射面３０３によって光が遮られやすい。そのため、光線４が入射面３０１に入射する領域を、照明装置１００よりも出射面３０２側とすることで、全ての反射面３０３に光を照射することができる。つまり、入射面３０１に入射する光線４の入射角を大きくすることで、全ての反射面３０３に光を照射することができる。
【０２３０】
反射面３０３は、光線４が照明装置１００，１０１の前方（＋Ｚ軸方向）に進むように、光線４を反射できればよい。境界面３０５及び反射面３０３の位置はこれらの形態に限らない。
【０２３１】
なお、反射面３０３は離散的に配置される必要はなく、導光部３０３の同じ境界面３０５の上に隣接するように配置されてもよい。また、反射面３０３は異なる境界面３０５の上で実際は離散的に配置され、＋Ｚ軸方向から見た場合に隣り合う反射面同士が隣接するかに見えるように配置されてもよい。
【０２３２】
反射面３０３の＋Ｘ軸方向の端部のＸ軸上の位置は、＋Ｘ軸側に隣り合う他の反射面３０３の−Ｘ軸方向の端部のＸ軸上の位置と一致することができる。つまり、例えば、反射面３０３ａの＋Ｘ軸方向の端部のＸ軸上の位置は、反射面３０３ｂの−Ｘ軸方向の端部のＸ軸上の位置と一致することができる。
【０２３３】
＜変形例４＞
図６は、変形例４に係る照明装置１０２の概要図である。
【０２３４】
照明装置１０２は、光源部１及び導光部３４０を備えている。光源部１は、光調整ユニット２を備えている。光源部１及び光調整ユニット２の構成は照明装置１００と同じである。導光部３４０は、導光部材３０４を備えている。
【０２３５】
導光部３４０は、光源部１から出射された光を入射する入射面３４１を備える。入射面３４１は、導光部３４０の−Ｘ軸側の端部に備えられている。図６では、入射面３４１は、導光部材３０４の−Ｘ軸側の端面に備えられている。
【０２３６】
入射面３４１に入射した光を光線４４０として代表的に見る。光線４４０は、導光部材３０４の内部を＋Ｘ軸側に進む。光調整ユニット２によって光源部１から出射される光の方向が変わると、これに応じて導光部３４０内部での光線４４０の進行方向も変化する。
【０２３７】
光調整ユニット２によって、光源部１から出射される光線４４０は、走査されている。図６では、光線４４０は、Ｚ軸方向に走査されている。
【０２３８】
導光部３４０は、当該外部にプリズム面３４２を有する。プリズム面３４２は、光線４４０の進行方向を照明装置１０２の前方（＋Ｚ軸方向）に向けるような光学面である。例えば、プリズム面３４２は、光を全反射させる。なお、プリズム面は、導光部材３０４へ入射する光の方向を変える光学制御面である。
【０２３９】
プリズム面３４２は、光を反射する反射面３４３を備えている。反射面３４３は、プリズム面３４２内に複数備えられている。
【０２４０】
プリズム面３４２は、導光部材３０４の側面に形成されている。例えば、プリズム面３４２は、出射面３０２に対向する面に形成されている。
【０２４１】
プリズム面３４２は、入射面３４１に対して、−ＲＹ方向に回転した傾斜面を備えている。この傾斜面が上述の反射面３０３に相当する。ここでは、この傾斜面を反射面３４３として説明する。
【０２４２】
導光部材３０４内を導光される光線４４０は、光調整ユニット２によってその導光方向が選択的に変化される。そのため、例えば、光調整ユニット２によって光源部１から導光部３４０に入射する光線４４０が経路ａ３を進むとき、光線４４０は、反射面３４３ａで全反射されて、経路ｂ３を進み、照明装置１０２の前方（＋Ｚ軸方向）に出射される。
【０２４３】
光線４４０は、光調整ユニット２によって走査される。光調整ユニット２は、光線４４０を選択した反射面３４３に向けて照射する。つまり、光調整ユニット２によって、光線４４０は選択的に反射面３４３に向けて照射される。
【０２４４】
光線４４０は、反射面３４３で全反射される。全反射された光線４４０は、出射面３０２に向けて進行する。そして、全反射された光線４４０は、出射面３０２から＋Ｚ軸方向に向けて出射される。
【０２４５】
続いて、例えば、光調整ユニット２によって光源部１から導光部３４０に入射する光線４４０が経路ａ４を進むときは、光線４４０は反射面３４３ｂで全反射されて、経路ｂ４を進み、照明装置３４０の前方（＋Ｚ軸方向に）出射される。
【０２４６】
このとき光線４４０が経路ａ３，ｂ３を進んだときに得られる導光部３４０上の光の出射領域５ａと、光線４４０が経路ａ４，ｂ４を進んだときに得られる導光部３４０上の光の出射領域５ｂとは異なる。
【０２４７】
光線４４０は、光調整ユニット２によって走査されることで、異なる経路を進む。例えば、光線４４０が経路ａ３を進むと、光線４４０は反射面３４３ａで反射される。そして、光線４４０は経路ｂ３を進んで、出射面３０２から出射される。一方、光線４４０が経路ａ４を進むと、光線４４０は反射面３４３ｂで反射される。そして、光線４４０は経路ｂ４を進んで、出射面３０２から出射される。
【０２４８】
経路ａ３，ｂ３を進んだ光線４４０の出射面３０２から出射される位置（出射領域５ａ）は、経路ａ４，ｂ４を進んだ光線４４０の出射面３０２から出射される位置（出射領域５ｂ）と異なる。
【０２４９】
経路ａ３，ｂ３を進んだ光線４４０の出射面３０２から出射される位置（出射領域５ａ）は、経路ａ４，ｂ４を進んだ光線４４０の出射面３０２から出射される位置（出射領域５ｂ）よりも−Ｘ軸方向側に位置している。
【０２５０】
さらに、光調整ユニット２によって光源部１から導光部３４０に入射する光の方向を変えると、光線４４０の導光部３４０内を進む向きが変わる。これに応じて、光線４４０が反射するプリズム面３４２も切り替わり、反射面３４３ｃ、反射面３４３ｄ、・・・というように全反射する面が変わり、導光部３４０上の光の出射領域も変化する。
【０２５１】
光線４４０が走査されることで、選択される反射面３４３は、例えば、反射面３４３ｃから反射面３４３ｄへと変更される。この反射面３４３の変更に伴い、出射面３０２から出射される光線４４０の出射領域５も変更される。
【０２５２】
つまり、光調整ユニット２によって光源部１から導光部３４０に入射する光（光線４４０）の方向を選択的に変えることができる。そして、これに応じて、導光部３４０の出射面３０２上の光の出射領域５を選択的に変えることができる。
【０２５３】
言いかえると、光調整ユニット２は、導光部３４０へ入射する光線４４０を、光学制御面（反射面３４３）に選択的に照射する。そして、光調整ユニット２は、光源部１から出射された光を、導光部３４０の出射面３０２上の出射領域５から、動的に出射させることができる。
【０２５４】
さらに、光源部１の発光タイミング又は光源部１から導光部３４０に入射する光の方向の切り替え速度・パターンを制御することで、導光部３４０の出射面３０２上のある任意の領域だけを光らせることが可能である。
【０２５５】
光調整ユニット２は、光源部１の発光タイミング、光源部１から出射される光線４４０の走査速度または光線４４０の走査パターンなどを制御する。これらによって、光調整ユニット２は、導光部３４０の出射面３０２上の選択された領域（出射領域５）を光らせることができる。
【０２５６】
また、当該任意の領域を動的に光らせることもでき、さらに、導光部３４０を全体的に光らせることも可能である。つまり、光線４４０の走査速度を上げることで、導光部３４０の出射面３０２を全体的に光らせることも可能である。
【０２５７】
光線４４０の導光部３４０の進行方法は上述の構成に限るものではなく、光線４４０が導光部３４０の内部を内面反射し、プリズム面３４２へ達することも可能である。
【０２５８】
つまり、入射面３４１から入射した光線４４０が、導光部材３４０の側面で反射した後に、プリズム面３４２に到達するようにできる。これによって、入射面３０１からでは他の反射面３４３が遮っている位置に配置された反射面３４３に、光線４４０を到達させることができる。ここで、光線４４０を反射させる側面としては、出射面３０２が挙げられる。
【０２５９】
また、例えば、光源部１としてレーザーダイオード（ＬＤ）を用いる場合には、照明装置１０２の前方（＋Ｚ軸側）の面に蛍光体を備えることができる。つまり、光源部１から出射される光を励起光とすることで、蛍光体を発光させることができる。励起光としては、ＬＤ以外にもＬＥＤなどを用いることもできる。図６では、光学素子６で蛍光体を示している。
【０２６０】
さらに、上述の例と同様に、プリズム面３４２を構成する反射面３４３に蛍光体を備えることも可能である。
【０２６１】
また、導光部３４０は、光線４４０が照明装置１０２の前方（＋Ｚ軸方向）に進むように、光線４４０を反射させる反射面３４３が構成できればよい。導光部３４０の形状はこの限りでない。例えば、導光部３４０が湾曲した形状でもよい。
【０２６２】
また、入射面３４１、プリズム面３４２または反射面３４３は、平面形状である必要はない。入射面３４１、プリズム面３４２または反射面３４３は、例えば、自由曲面で構成されてもよい。これによれば、より自由度の高い照明光を取り出すことができる。つまり、導光部材３０４を用いることで、発光面（出射面３０２）の形状に対して、自由度を有することができる。
【０２６３】
また、導光部３４０上の光線４４０が出射される＋Ｚ軸側の面（出射面３０２）は、自由曲面で構成されてもよい。出射面３０２は、レンズ効果を有するレンズ形状でもよい。出射面３０２は、例えば、プリズム面形状でもよい。ただし、上述のように、一度、出射面３０２で光線４４０を反射させた後に、反射面３４３に到達させる場合には、その自由度は制限される。
【０２６４】
また、プリズム面３４２は、＋Ｘ軸方向に伸びる光学面形状である。しかし、プリズム面３４２の形状はこれに限らない。例えば、各反射面３４３の位置が＋Ｘ軸に変わるにつれて、当該反射面３４３が＋Ｚ軸方向に移動するような形状でもよい。これによれば、駆動装置２により変更される光の進行方向が移動する向きを＋Ｚ軸方向への並進動作にすることができる。
【０２６５】
つまり、反射面３４３が入射面３４１から遠くに配置されるに従って、反射面３４３が出射面３０２に近づくように、反射面３４３は配置されてもよい。
【０２６６】
これによって、光線４４０は、他の反射面３４３に遮られることなく選択された反射面３４３に到達することができる。そして、選択された反射面３４３で反射された光線４４０は、他の反射面３４３に遮られることなく出射面３０２に到達することができる。
【０２６７】
そして、反射面３４３の傾斜角度を調整することによって、各反射面３４３で反射された光線４４０を互いに平行とすることができる。つまり、出射面３０２から出射される各光線４４４０を平行な光線とすることができる。
【０２６８】
なお、光源部１に備えられる光源は一つとは限らない。例えば、光源部１は、異なる色の光源を複数備えることができる。そして、導光部３４０から出射される照明光を自由な色に設定することもできる。また、これに伴って光調整ユニット２も複数備えることもできる。導光部３００の出射面３０２上で任意の色または領域で光を出射させることができる。以下、変形例５および６として、これらに関する一例を説明する。
【０２６９】
＜変形例５＞
図７は、変形例５に係る照明装置１０３の概要図である。
【０２７０】
照明装置１０３は、光源部１，１０及び導光部３００，３１０を備えている。光源部１，１０は、光調整ユニット２，２０を備えている。光源部１，１０、光調整ユニット２，２０及び導光部３００，３１０の構成は、照明装置１００と同じである。
【０２７１】
導光部３１０は、導光部材３０４を備えている。導光部３１０の導光部材３０４は、複数の反射面３５３及び境界面３５５を備える。
【０２７２】
光源部１，１０から出射された光が、導光部３００，３１０内を進行し、照明装置１０３の前方（＋Ｚ軸側）から光が出射する構成は、照明装置１００と同じである。
【０２７３】
光源部１，１０から出射された光は、導光部３００，３１０内を進行する。導光部３００，３１０内を進行した光は、反射面３０３，３５３で反射される。そして、反射面３０３，３５３で反射された光は、照明装置１０３の前方（＋Ｚ軸側）に出射される。これらは、照明装置１００と同じである。
【０２７４】
例えば、反射面３０３が離散的に配置される場合には、導光部３１０から出射される光が、導光部３００に備えられている各反射面３０３の間を通過するように、照明装置１０３を構成することができる点で、照明装置１００と異なる。
【０２７５】
例えば、導光部３００の反射面３０３は、Ｘ軸方向に、離散的に配置されている。つまり、Ｘ軸方向において、１つの反射面３０３と他の反射面３０３との間には、隙間が存在する。そして、導光部３１０から出射された光線４５０は、導光部３００の反射面３０３の隙間を通って、照明装置１０３から出射される。
【０２７６】
これによる効果としては、導光部３００から出射される光の分解能が高くなり、より細かい領域に分けて照明装置１０３の前方（＋Ｚ軸方向）を照射することができる。
【０２７７】
例えば、Ｘ軸方向において、反射面３０３の間に隙間を設けずに、反射面３０３を配置することができない場合がある。このような場合には、照明装置１０３から出射される光の領域（出射領域５）は、離散的となる。
【０２７８】
複数の導光部３００，３１０を備えることで、離散的な照明装置１０３から出射される光の領域（出射領域５）を改善することができる。つまり、照明装置１０３から出射される光の領域（出射領域５）の間隔を狭くすることができる。
【０２７９】
また、導光部３１０から出射される光の色と、導光部３００から出射される光の色とが、それぞれ異なる色になるように照明装置１０３を構成すれば、導光部３００から出射される光の色を動的に変化させることもできる。
【０２８０】
複数の光源部１，１０を備えることで、光源部１，１０ごとに、異なる色の光を発するようにできる。そして、異なる色ごとに動的な発光をさせることができる。
【０２８１】
また、図７に示すように、異なる色の光を隣接して出射できるようにする。例えば、光線４５０ａの色と光線４５０ｂの色とが異なる。この場合には、隣接する異なる色の発光を同時に行うことで、異なる色の光を混ぜることができる。そして、光源１ａ，１０ａの色に対して、発光させる色を変更することができる。つまり、光源１ａの色と、光源１０ａの色とを混色することができる。
【０２８２】
なお、各導光部３００，３１０から出射される光の色を変える手段としては、例えば、光源部１，１０が異なる色の光源を備えることで実現できる。
【０２８３】
＜変形例６＞
図８は、変形例６に係る照明装置１０４の概要図である。
【０２８４】
図８に示す照明装置１０４は、図４に示す照明装置１００に光源部を２つ備えて、導光部３００の２箇所から光を入射させた構成をしている。
【０２８５】
照明装置１０４は、光源部１，１１及び導光部３３０を備える。光源部１，１１は、光調整ユニット２，２１を備える。
【０２８６】
光源部１，１１は、光調整ユニット２を備えていない。
【０２８７】
例えば、光源部１は、駆動装置Ｍ１によって、光源部１全体をＹ軸まわりに回転させられる。駆動装置Ｍ１は、例えば、モーターなどである。また、モーターとしては、例えば、回転式のモーターが挙げられる。また、モーターとしては、例えば、直線的に動くモーターを用いて、回転運動に変換することができる。これによって、進行方向を変えられた光線４は、入射面３０１上の異なる位置から導光部３３０の内部に入射する。
【０２８８】
また、例えば、光源部１１は、駆動装置Ｍ２によって、光源部１１をＺ軸方向に移動させられる。光源部１１は、並進移動している。「並進移動」とは、剛体などにおいて、それを構成する各点が同一方向に平行移動する運動。
【０２８９】
駆動装置Ｍ２は、例えば、モーターなどである。また、モーターとしては、例えば、直線的に動くモーターが挙げられる。また、モーターとしては、例えば、回転式のモーターを用いて、直線運動に変換することができる。これによって、出射位置を変えられた光は、入射面３５１上の異なる位置から導光部３３０の内部に入射する。
【０２９０】
駆動装置Ｍ１，Ｍ２は、上述の光調整ユニット２の機能を有する。つまり、駆動装置Ｍ１，Ｍ２は、上述の光調整ユニット２に相当する。
【０２９１】
導光部３３０は、導光部材３０４を備える。
【０２９２】
光調整ユニット２１は、光源部１から出射された光をＺ軸方向に並進移動させる点で、光調整ユニット２と異なる。
【０２９３】
導光部３３０は、導光部３００の構成に加えて、複数の反射面３６３および入射面３５１を備える点で、導光部３００と異なる。
【０２９４】
図８に示すように、光調整ユニット２は、光線４を走査している。つまり、１つの領域から出射される光線４の進行方向を変更することで、反射面３０３を選択している。１つの領域は、例えば、走査ミラー２ｂのミラー面である。
【０２９５】
一方、光調整ユニット２１は、光線４６０が出射される領域を変更している。光線４６０が出射される領域は、例えば、液晶シャッター２１ａの出射面である。図８では、光線４６０が出射される領域は、Ｚ軸方向に変更されている。
【０２９６】
そして、図８では、光調整ユニット２１から出射される光線４６０は、Ｘ軸に平行である。なお、反射面３６３との関係で、光調整ユニット２１から出射される光線４６０は、必ずしも、平行である必要はない。
【０２９７】
光源部１１から出射される光（光線４６０）は、光調整ユニット２１を介して、光源部１からの光が入射する方向（＋Ｘ軸方向）に対向するような方向（−Ｘ軸方向）から、導光部３３０に備えられた入射面３５１に入射する。
【０２９８】
図８では、光線４は、光源部１から＋Ｘ軸方向に出射される。一方、光線４６０は、光源部１１から−Ｘ軸方向に出射される。つまり、光線４と光線４６０とは、互いに光源部１，１１から対向する方向に出射される。
【０２９９】
そして、光線４６０は、入射面３５１から導光部３３０の導光部材３０４に入射する。入射面３０１は、導光部３３０の−Ｘ軸方向側の端部に設けられている。入射面３５１は、導光部３３０の＋Ｘ軸方向側の端部に設けられている。図８では、入射面３０１は、導光部材３０４の−Ｘ軸方向側の端面に設けられている。入射面３５１は、導光部材３０４の＋Ｘ軸方向側の端面に設けられている。
【０３００】
図８では、入射面３５１は、入射面３０１と対向する位置に配置されている。なお、導光部材３０４が湾曲している場合などには、入射面３５１は、入射面３０１に対して、光学的に対向する位置に配置されることができる。つまり、光が導光される経路が湾曲している場合でも、光が導光される経路の中心を直線とみなすことができる。
【０３０１】
入射面３５１に入射した光を光線４６０として代表的に見ると、光線４６０は導光部３３０に備えられた反射面３６３を介して、導光部３３０の前方（＋Ｚ軸方向）に出射される。反射面３６３は、光源部１１が発した光を導光部３３０の前方（＋Ｚ軸方向）に出射させることができる光学制御面である。
【０３０２】
光線４６０は、入射面３５１から導光部３３０に入射する。図８では、光線４６０は、入射面３５１から導光部材３０４に入射する。入射面３５１から入射した光線４６０は、導光部材３０４の内部を−Ｘ軸方向に進行する。導光部材３０４の内部を進行した光線４６０は、反射面３６３に到達する。反射面３６３に到達した光線４６０は、反射面３６３で反射される。反射面３６３で反射された光線４６０は、＋Ｚ軸方向に進行する。＋Ｚ軸方向に進行した光線４６０は、出射面３０２に到達する。出射面３０２に到達した光線４６０は、前方に向けて出射される。反射面３６３は、光学制御面である。
【０３０３】
これによれば、少ない導光部を用いた場合においても、図７に示す変形例５と同様な効果が得られる。
【０３０４】
図９に示す照明装置１０８は、図５に示す変形例３の照明装置１０１に光源部を２つ備えて、導光部３２０の２箇所から光を入射させた構成をしている。
【０３０５】
照明装置１０８は、導光部３５０の＋Ｘ軸側にも光源部１を備えている。＋Ｘ軸側に配置された光源部１は、光調整ユニット２を備えている。また、導光部３５０は、反射面３６３を備えている。照明装置１０８のその他の構成は照明装置１０１と同じである。
【０３０６】
導光部３５０は、入射面３５１を備えている。入射面３５１は、光学的に入射面３０１と対向する位置に配置されている。図９では、入射面３５１は、導光部３５０の＋Ｘ軸方向側の端部に形成されている。図９では、入射面３５１は、導光部材３０４の＋Ｘ軸方向側の端面に形成されている。
【０３０７】
また、導光部３５０は、反射面３６３を備えている。反射面３６３は、反射面３０３の＋Ｘ軸方向側に配置されている。反射面３６３は、入射面３５１に対して、＋ＲＹ方向に回転した面である。反射面３６３は、反射面３０３をＹ軸周りに回転させた構成である。反射面３６３のその他の構成は反射面３０３と同じである。
【０３０８】
反射面３６３は、入射面３５１から入射した、光線４６０を出射面３０２に向けて反射する。図９では、反射面３０３の＋Ｘ軸方向側の端部は、反射面３６３の−Ｘ軸側の端部と接している。
【０３０９】
導光部３５０のその他の構成については、導光部３２０と同じである。
【０３１０】
図９では、入射面３５１は、導光部材３０４の＋Ｘ軸方向側の端面である。
【０３１１】
＋Ｘ軸側に配置された光源部１から出射された光線４６０は、入射面３５１に到達する。入射面３５１から入射した光線４６０は、反射面３６３に到達する。反射面３６３に到達した光線４６０は、反射面３６３で反射される。反射面３６３で反射された光線４６０は、出射面３０２に到達する。出射面３０２に到達した光線４６０は、出射面３０２から出射される。
【０３１２】
図９では、光線４が出射領域５ａ，５ｂ，５ｃから出射する例を示している。また、光線４６０が出射領域５ｄ，５ｅ，５ｆから出射する例を示している。
【０３１３】
出射領域５ｃは、出射領域５ｄと隣接している。このように、光源部１を２つ備えることで、出射領域５を近くに配置することが容易となる。
【０３１４】
これによれば、少ない導光部材３０４を用いた場合においても、図７に示す変形例５と同様な効果が得られる。
【０３１５】
図１０に示す照明装置１０９は、図６に示す変形例４の照明装置１０２に光源部を２つ備えて、導光部３４０の２箇所から光を入射させた構成をしている。
【０３１６】
照明装置１０９は、導光部３６０の＋Ｘ軸側にも光源部１を備えている。＋Ｘ軸側に配置された光源部１は、光調整ユニット２を備えている。また、導光部３６０は、反射面３６３を備えている。照明装置１０９のその他の構成は照明装置１０２と同じである。
【０３１７】
導光部３６０は、入射面３５１を備えている。入射面３５１は、光学的に入射面３４１と対向する位置に配置されている。図１０では、入射面３５１は、導光部３６０の＋Ｘ軸方向側の端部に形成されている。図１０では、入射面３５１は、導光部材３０４の＋Ｘ軸方向側の端面に形成されている。
【０３１８】
また、導光部３６０は、反射面３６３を備えている。反射面３６３は、反射面３４３の＋Ｘ軸方向側に配置されている。反射面３６３は、入射面３５１に対して、＋ＲＹ方向に回転した面である。反射面３６３は、反射面３４３をＹ軸周りに回転させた構成である。反射面３６３のその他の構成は反射面３４３と同じである。
【０３１９】
反射面３６３は、入射面３５１から入射した、光線４６０を出射面３０２に向けて反射する。図１０では、反射面３４３の＋Ｘ軸方向側の端部は、反射面３６３の−Ｘ軸側の端部と接している。
【０３２０】
プリズム面３４２は、反射面３４３および反射面３６３を備えている。
【０３２１】
導光部３６０のその他の構成については、導光部３４０と同じである。
【０３２２】
図１０では、入射面３５１は、導光部材３０４の＋Ｘ軸方向側の端面である。
【０３２３】
＋Ｘ軸側に配置された光源部１から出射された光線４６０は、入射面３５１に到達する。入射面３５１から入射した光線４６０は、反射面３６３に到達する。反射面３６３に到達した光線４６０は、反射面３６３で反射される。反射面３６３で反射された光線４６０は、出射面３０２に到達する。出射面３０２に到達した光線４６０は、出射面３０２から出射される。
【０３２４】
図１０では、光線４４０が出射領域５ａ，５ｂ，５ｃから出射する例を示している。また、光線４６０が出射領域５ｄ，５ｅ，５ｆから出射する例を示している。
【０３２５】
これによれば、少ない導光部材３０４を用いた場合においても、図７に示す変形例５と同様な効果が得られる。
【０３２６】
図８から図１０に示した２つの光源部１，１１を持つ構成の照明装置１０４，１０８，１０９を複数備える構成を採用することができる。つまり、例えば、図７に示す導光部３００，３１０の＋Ｘ軸方向側に、光源部を配置することができる。
【０３２７】
図１１は照明装置１００から照明装置１０９までの使用例を示した図である。図１１では、一例として、照明装置１００で示している。
【０３２８】
照明装置１００は、車両に搭載される照明装置として使用することが可能である。図１１では、照明装置１００は、ヘッドライト９１の下側に配置されている。そして、照明装置１００は、例えば、ウィンカーとして使用されている。
【０３２９】
照明装置１００ａは、車両９の＋Ｘ軸方向側に配置されている。照明装置１００ｂは、車両９の−Ｘ軸方向側に配置されている。
【０３３０】
例えば、車両９が＋Ｘ軸方向に曲がる場合には、照明装置１００ａは、−Ｘ軸方向側から＋Ｘ軸方向側に向けて、光が流れるように順次点灯する。一方、車両９が−Ｘ軸方向に曲がる場合には、照明装置１００ｂは、＋Ｘ軸方向側から−Ｘ軸方向側に向けて、光が流れるように順次点灯する。
【０３３１】
上述の実施の形態では、少ない光源で導光部の部分発光および全体発光が可能であり、照明装置全体を小型でき、部品点数の削減または組立性能も向上する。
【０３３２】
つまり、光調整ユニットを用いることで、光源部から出射される光線の位置または方向を変更している。そして、導光部に設けられた反射面に、光線を選択的に照射している。これらによって、導光部を部分的に発光させるために用いる光源の数を抑えることができる。また、光源部を配置する箇所も削減することができる。
【０３３３】
上述の実施の形態では、光調整ユニット２によって変化させる導光部３００，３２０，３４０に入射する光の方向は、Ｙ軸まわりの回転方向に限らない。例えば、±Ｚ軸または±Ｙ軸方向に並進変化する向き、又はＺ軸またＸ軸まわりに回転変化するような向きでもよい。また、これらを組み合わせた向きでもよい。
【０３３４】
つまり、光調整ユニットから出射される光線の走査方向は、Ｚ軸方向以外の方向でもよい。この光線の走査によって、導光部内を進行する光線の経路を変更することができる。また、光調整ユニットから出射される光線の位置を変更することで、導光部内を進行する光線の経路を変更することができる。そして、光調整ユニットから出射される光線の位置の変更は、Ｚ軸方向以外でもよい。
【０３３５】
上述の実施の形態では、光調整ユニット２を用いて、導光部３００，３２０，３４０に入射する光の向きを変えているが、光の向きを変える構成はこれに限らない。例えば、光源部１を回転、並進、又はその両方の動作によって、直接的に駆動して、導光部３００，３２０，３４０に入射する光の向きを変えてもよい。
【０３３６】
光調整ユニットを用いない場合には、光源部を回転させて、光線を走査することができる。また、光源部を移動させることで、導光部に入射する光線の位置を変更することができる。
【０３３７】
なお、導光部３００、３２０、３４０に入射させる光の向きは＋Ｘ軸方向からの向きに限らない。例えば、−Ｙ軸方向から光を入射してもよい。言いかえると、導光部に備えられている入射面３０１は導光部上の任意の位置に設けることができる。
【０３３８】
上述の実施の形態では、主に、−Ｘ軸方向に光源部を配置している。そして、導光部材はＸ軸方向に延びる形状をしている。導光部材に入射された光線は、導光部材の内部を＋Ｘ軸方向に進行して、反射面で反射された後に、＋Ｚ軸方向に進行している。
【０３３９】
これらは、説明を容易にするために、一例として設定したものである。そのため、光源部、導光部材の形状、光線の経路などは変更することができる。つまり、導光部材の形状は、上述のように、自由度を有している。
【０３４０】
なお、上述の実施の形態では２次元的な構成としているが、３次元的な構成とすることも可能である。
【０３４１】
なお、上述の実施の形態では照明装置を一つ用いた構成で説明しているが、照明装置を複数用いて構成することも可能である。
【０３４２】
なお、上述の各実施の形態においては、照明装置を例として説明しているが、本発明はこれに限るものではない。
【０３４３】
なお、上述の各実施の形態においては、「平行」または「垂直」などの部品間の位置関係もしくは部品の形状を示す用語を用いている場合がある。これらは、製造上の公差や組立て上のばらつきなどを考慮した範囲を含むことを表している。このため、請求の範囲に部品間の位置関係もしくは部品の形状を示す記載をした場合には、製造上の公差又は組立て上のばらつき等を考慮した範囲を含むことを示している。
【０３４４】
なお、以上のように本発明の実施の形態について説明したが、本発明はこれらの実施の形態に限るものではない。
【０３４５】
以上の各実施の形態を基にして、以下の内容を付記として記載する。
【０３４６】
以上の各実施の形態を基にして、以下の内容を付記（１）及び付記（２）として記載する。付記（１）と付記（２）とは、各々独立して符号を付している。そのため、例えば、付記（１）と付記（２）との両方に、「付記１」が存在する。
【０３４７】
＜付記（１）＞
＜付記１＞
第１の光を発する第１の光源を含む第１の光源部と、
光の進行方向を変更して第１の反射光とする第１の反射面を含み、前記第１の光源部から出射された前記第１の光を導光して前記第１の反射面に到達させる導光部と
を備え、
前記第１の反射面は複数備えられ、
前記第１の光源部は、出射する前記第１の光を複数の前記第１の反射面の中から選択して照射する照明装置。
【０３４８】
＜付記２＞
前記導光部は、前記第１の照射光を導光する導光部材を複数備える付記１に記載の照明装置。
【０３４９】
＜付記３＞
前記第１の反射面は、前記導光部材の端部に形成されている
付記２に記載の照明装置。
【０３５０】
＜付記４＞
前記導光部材は、前記第１の照射光を入射する第１の入射面を含み、
前記第１の入射面から入射された前記第１の照射光は、前記導光部材の中を進行して、前記第１の反射面に到達する付記２または３に記載の照明装置。
【０３５１】
＜付記５＞
前記第１の反射面で反射された第１の反射光は、他の前記導光部材を透過して、前記導光部から出射される付記２から４のいずれか１つに記載の照明装置。
【０３５２】
＜付記６＞
前記導光部に入射された前記第１の照射光は、複数の前記導光部材を透過して、前記第１の反射面に到達する付記２または３に記載の照明装置。
【０３５３】
＜付記７＞
前記第１の反射面で反射された第１の反射光は、前記導光部材の中を進行して、前記導光部から出射される付記２、３または６に記載の照明装置。
【０３５４】
＜付記８＞
前記導光部は、導光部材を１つ備え、
複数の前記第１の反射面は、１つの前記導光部材に備えられている付記１に記載の照明装置。
【０３５５】
＜付記９＞
前記複数の第１の反射面は、前記第１の照射光が前記導光部材の内部を進行する方向に並べて配置される付記８に記載の照明装置。
【０３５６】
＜付記１０＞
前記導光部材は、前記第１の照射光を入射する第１の入射面および前記第１の反射面で反射された第１の反射光を出射する出射面を含む付記９に記載の照明装置。
【０３５７】
＜付記１１＞
前記複数の第１の反射面は、前記導光部材の前記出射面に対向する面に備えられている付記１０に記載の照明装置。
【０３５８】
＜付記１２＞
前記複数の第１の反射面は、前記導光部材の内部に備えられている付記１０に記載の照明装置。
【０３５９】
＜付記１３＞
前記第１の入射面に近い第１の反射面よりも前記第１の入射面から遠い第１の反射面の方が、前記出射面に近い位置に配置される付記１２に記載の照明装置。
【０３６０】
＜付記１４＞
前記複数の第１の反射面は、前記出射面から同じ距離に配置されている付記１２に記載の照明装置。
【０３６１】
＜付記１５＞
第２の光を発する第２の光源を含む第２の光源部を備え、
前記導光部材は、前記第１の入射面と対向する位置に前記第２の光を入射する第２の入射面および入射された前記第２の光を反射して当該第２の光の進行方向を変更する第２の反射面を含む付記１０から１４のいずれか１つに記載の照明装置。
【０３６２】
＜付記１６＞
前記第２の反射面は、前記第１の反射面の前記第２の入射面側に配置されている付記１５に記載の照明装置。
【０３６３】
＜付記１７＞
前記第１の光源部および前記導光部の対を複数備える付記８から１４に記載の照明装置。
【０３６４】
＜付記１８＞
前記複数の対の内の１つの対の出射した第１の反射光は、他の対の導光部を透過する付記１７に記載の照明装置。
【０３６５】
＜付記１９＞
前記複数の対は、第２の光を発する第２の光源を含む第２の光源部を備え、
前記複数の対の前記導光部材は、前記第１の入射面と対向する位置に前記第２の光を入射する第２の入射面および入射された前記第２の光を反射して当該第２の光の進行方向を変更する第２の反射面を含む付記１７または１８に記載の照明装置。
【０３６６】
＜付記２０＞
前記第２の反射面は、前記第１の反射面の前記第２の入射面側に配置されている付記１９に記載の照明装置。
【０３６７】
＜付記２１＞
前記第１の光源部は、複数の第１の光源を備え、
前記複数の第１の光源は、複数の前記第１の反射面に各々対応するように配置され、前記第１の光源から発せられた第１の光は、対応する前記第１の反射面で反射される付記１から２０のいずれか１つに記載の照明装置。
【０３６８】
＜付記２２＞
前記第１の光源部は、自身が回転することによって、前記第１の光源から出射される前記第１の光の進行方向を変更する付記１から２０のいずれか１つに記載の照明装置。
【０３６９】
＜付記２３＞
前記第１の光源部は、自身が並進移動することによって、前記第１の光源から出射される前記第１の光の出射位置を変更する付記１から２０のいずれか１つに記載の照明装置。
【０３７０】
＜付記２４＞
前記第１の光源部は、前記第１の光を入射して出射する位置または出射する方向を変更して出射する第１の光調整ユニットを備える付記１から２０のいずれか１つに記載の照明装置。
【０３７１】
＜付記２５＞
前記第１の光調整ユニットは、内面が反射面の容器および液晶シャッターを備え、
前記液晶シャッターは、光を通す透過領域と光を遮る遮光領域とを有するように駆動され、
前記第１の光源から発せられた光は前記容器内に入り、前記容器の反射面で反射された後に前記液晶シャッターの前記透過領域から出射される付記２４に記載の照明装置。
【０３７２】
＜付記２６＞
前記第１の光調整ユニットは、傾きを変えるミラーを備え、
前記第１の光源から発せられた光は、前記ミラーで反射されることで走査されて、前記第１の光源部から出射される付記２４に記載の照明装置。
【０３７３】
＜付記２７＞
前記第２の光源部は、複数の第２の光源を備え、
前記複数の第２の光源は、複数の前記第２の反射面に各々対応するように配置され、前記第２の光源から発せられた第２の光は、対応する前記第２の反射面で反射される付記１５、１６、１９または２０のいずれか１つに記載の照明装置。
【０３７４】
＜付記２８＞
前記第２の光源部は、自身が回転することによって、前記第２の光源から出射される前記第２の光の進行方向を変更する付記１５、１６、１９または２０のいずれか１つに記載の照明装置。
【０３７５】
＜付記２９＞
前記第２の光源部は、自身が並進移動することによって、前記第２の光源から出射される前記第２の光の出射位置を変更する付記１５、１６、１９または２０のいずれか１つに記載の照明装置。
【０３７６】
＜付記３０＞
前記第２の光源部は、前記第２の光を入射して出射する位置または出射する方向を変更して出射する第２の光調整ユニットを備える付記１５、１６、１９または２０のいずれか１つに記載の照明装置。
【０３７７】
＜付記３１＞
前記第２の光調整ユニットは、内面が反射面の容器および液晶シャッターを備え、
前記液晶シャッターは、光を通す透過領域と光を遮る遮光領域とを有するように駆動され、
前記第２の光源から発せられた光は前記容器内に入り、前記容器の反射面で反射された後に前記液晶シャッターの前記透過領域から出射される付記３０に記載の照明装置。
【０３７８】
＜付記３２＞
前記第２の光調整ユニットは、傾きを変えるミラーを備え、
前記第２の光源から発せられた光は、前記ミラーで反射されることで走査されて、前記第２の光源部から出射される付記３０に記載の照明装置。
【０３７９】
＜付記３３＞
付記１から３２のいずれか１つに記載の照明装置を搭載した車両。
【０３８０】
＜付記（２）＞
＜付記１＞
光源と、前記光源からの光を入射し、前記光を導光する導光部品と、前記導光部品へ入射する光の方向を変化させる駆動装置とを有し、
前記導光部品は、前記導光部品へ入射する前記光の進行方向を変える複数の光学制御面を有し、
前記駆動装置は、前記導光部品へ入射する前記光を前記複数の光学制御面に選択的に照射し、前記導光部品上の任意の領域から、前記光源からの光を出射させる照明装置。
【０３８１】
＜付記２＞
前記光学制御面は、反射面である
付記１に記載の照明装置。
【０３８２】
＜付記３＞
前記光学制御面は、プリズム面である
付記１に記載の照明装置。
【符号の説明】
【０３８３】
１００，１０１，１０２，１０３，１０４，１０５，１０６，１０７  照明装置、  １，１０，１１  光源部、  ２，２０，２１  光調整ユニット、  ２ａ，２１ａ  液晶シャッター、  ２ｂ  走査ミラー、２ｃ  光学素子、  ３００，３１０，３２０，３３０，３４０，３７０，３８０，３９０  導光部、  ３０１，３４１，３５１，３７１，３７４ｉ，３８１，３８４ｉ，３９１  入射面、  ３０２，３７２，３８２，３９２，３９４ｏ  出射面、  ３０３，３０３ａ，３０３ｂ，３０３ｃ，３０３ｄ，３４３，３４３ａ，３４３ｂ，３４３ｃ，３４３ｄ，３５３，３７３，３７４ｒ，３８３，３８４ｒ，３９３，３９４ｒ  反射面、  ３０４，３７４，３８４，３９４  導光部材、  ３０５，３５５  境界面、  ３４２  プリズム面、  ４，４４０，４５０，４６０，４７０  光線、  ５  出射領域、  ６  光学素子、  ａ１，ａ２，ａ３，ａ４  経路。
【図１】
2017033820.tif 000003
【図２】
2017033820.tif 000004
【図３】
2017033820.tif 000005
【図４】
2017033820.tif 000006
【図５】
2017033820.tif 000007
【図６】
2017033820.tif 000008
【図７】
2017033820.tif 000009
【図８】
2017033820.tif 000010
【図９】
2017033820.tif 000011
【図１０】
2017033820.tif 000012
【図１１】
2017033820.tif 000013
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
光を発する光源を含む光源部と、
光の進行方向を変更して反射光とする反射面を含み、前記光源部から出射された前記光を導光して前記反射面に到達させる導光部と
を備え、
前記反射面は複数備えられ、
前記光源部は、複数の前記反射面の中から選択した反射面に向けて前記光を照射し、
前記導光部は、導光部材を備え、
前記導光部材は１つの導光部材であり、
複数の前記反射面は、前記導光部材に備えられている照明装置。
【請求項２】
前記複数の反射面は、前記光が前記導光部材の内部を進行する方向に並べて配置される請求項１に記載の照明装置。
【請求項３】
前記導光部材は、前記光を入射する入射面および前記反射面で反射された反射光を出射する出射面を含む請求項２に記載の照明装置。
【請求項４】
前記複数の反射面は、前記導光部材の前記出射面に対向する面に備えられている請求項３に記載の照明装置。
【請求項５】
前記複数の反射面は、前記導光部材の内部に備えられている請求項３に記載の照明装置。
【請求項６】
前記光源部は、複数の光源を備え、
前記複数の光源は、複数の前記反射面に各々対応するように配置され、前記光源から発せられた光は、対応する前記反射面で反射される請求項１から５のいずれか１項に記載の照明装置。
【請求項７】
前記光源部は、前記光を入射して出射する位置または出射する方向を変更して出射する光調整ユニットを備える請求項１から５のいずれか１項に記載の照明装置。
【手続補正２】
【補正対象書類名】明細書
【補正対象項目名】０００７
【補正方法】変更
【補正の内容】
【０００７】
本発明に係る照明装置は、光を発する光源を含む光源部と、光の進行方向を変更して反射光とする反射面を含み、前記光源部から出射された前記光を導光して前記反射面に到達させる導光部とを備え、前記反射面は複数備えられ、前記光源部は、複数の前記反射面の中から選択した反射面に向けて前記光を照射し、前記導光部は、導光部材を備え、前記導光部材は１つの導光部材であり、複数の前記反射面は、前記導光部材に備えられている。
【手続補正３】
【補正対象書類名】明細書
【補正対象項目名】００８３
【補正方法】変更
【補正の内容】
【００８３】
図１において、光線４７０は、導光部３７０の入射面３７１から入射した光の一例である。光線４７０は、導光部材３７４の入射面３７４ｉから、導光部材３７４の内部に入射する。
【手続補正４】
【補正対象書類名】明細書
【補正対象項目名】０１０７
【補正方法】変更
【補正の内容】
【０１０７】
なお、複数の導光部材３７４を配置する構成は、導光部材３７４をＺ軸方向に並べる以外の構成であってもよい。例えば、複数の導光部材３７４をＹ軸方向に重ねる構成でもよい。また、各導光部材３７４を、例えば、入射面３７４ｉを中心にして、−ＲＺ方向に回転させて、扇形状に配置してもよい。この場合には、入射面３７４ｉに傾斜を設けて、入射面３７１が平面になるようにすることができる。
【手続補正５】
【補正対象書類名】明細書
【補正対象項目名】０１１９
【補正方法】変更
【補正の内容】
【０１１９】
点灯される光源１ａを選択することで、光源部１は、導光部３８０へ入射する光線４７０を、光学制御面（反射面３８３）に選択的に照射することができる。
【手続補正６】
【補正対象書類名】明細書
【補正対象項目名】０１３６
【補正方法】変更
【補正の内容】
【０１３６】
導光部３９０は、複数の導光部材３９４を備えている。各導光部材３９４の反射面３９４ｒをまとめて、導光部３９０の反射面３９３とする各導光部材３９４の出射面３９４ｏをまとめて、導光部３９０の出射面３９２とする。
【手続補正７】
【補正対象書類名】明細書
【補正対象項目名】０１６７
【補正方法】変更
【補正の内容】
【０１６７】
実施の形態２によれば、１つの光源部１から１つの導光部材３０４に光を入射させている。入射される光は、複数の反射面３０３（光学制御面）に選択的に照射される。これによって、導光部３００上の発光領域（出射領域）５を変えることができる。
【手続補正８】
【補正対象書類名】明細書
【補正対象項目名】０１７９
【補正方法】変更
【補正の内容】
【０１７９】
境界面３０５は、導光部３００を切り分けるように全領域に伸びるような構造とは限らない。例えば、導光部３００の内部の一部の部分に設けられてもよい。また、境界面３０５は、反射面３０３だけを備える構造でもよい。
【手続補正９】
【補正対象書類名】明細書
【補正対象項目名】０２０３
【補正方法】変更
【補正の内容】
【０２０３】
つまり、入射面３０１から入射した光線４が、導光部３００の側面で反射した後に、反射面３０３に到達するようにできる。これによって、入射面３０１からでは他の反射面３０３が遮っている位置に配置された反射面３０３に、光線４を到達させることができる。ここで、光線４を反射させる側面としては、出射面３０２が挙げられる。
【手続補正１０】
【補正対象書類名】明細書
【補正対象項目名】０２０７
【補正方法】変更
【補正の内容】
【０２０７】
さらに、境界面３０５を構成する入射面３０１または反射面３０３にも蛍光体を備えることも可能である。蛍光体は、例えば、導光部材３０４に埋め込まれる。または、蛍光体は、例えば、導光部材３０４の面と接するように配置される。蛍光体を備える箇所に関する当該構成については、以下の変形例３〜５についても同様である。蛍光体を備える箇所に関する当該構成については、他の例についても同様である。
【手続補正１１】
【補正対象書類名】明細書
【補正対象項目名】０２４５
【補正方法】変更
【補正の内容】
【０２４５】
続いて、例えば、光調整ユニット２によって光源部１から導光部３４０に入射する光線４４０が経路ａ４を進むときは、光線４４０は反射面３４３ｂで全反射されて、経路ｂ４を進み、照明装置１０２の前方（＋Ｚ軸方向に）出射される。
【手続補正１２】
【補正対象書類名】明細書
【補正対象項目名】０２５８
【補正方法】変更
【補正の内容】
【０２５８】
つまり、入射面３４１から入射した光線４４０が、導光部３４０の側面で反射した後に、プリズム面３４２に到達するようにできる。これによって、入射面３０１からでは他の反射面３４３が遮っている位置に配置された反射面３４３に、光線４４０を到達させることができる。ここで、光線４４０を反射させる側面としては、出射面３０２が挙げられる。
【国際調査報告】
2017033820.tif 000014
2017033820.tif 000015